(57)【要約】【課題】効率的に通信を行うことができる端末装置、通信方法および集積回路に関する技術を提供すること。【解決手段】基地局装置と通信する端末装置が、セカンダリセルグループのサービングセルの測定結果の情報として、セカンダリグループの一つまたは複数のサービングセルそれぞれの測定結果をＳＣＧ障害情報に含めて基地局装置に通知し、サービングセルそれぞれの測定結果は、第１の周波数領域の測定結果（第１の測定結果）であって、第１のサービングセルにおいて、第１の周波数領域に加え、第２の１つまたは複数の周波数領域が設定された場合、前記第１のサービングセルの第２の１つまたは複数の周波数領域の測定結果（第２の測定結果）を前記ＳＣＧ障害情報に含める。【選択図】図２
2019062444.tif 000002
【特許請求の範囲】
【請求項１】
基地局装置と通信する端末装置であって、
前記端末装置は、ＤＣ（Ｄｕａｌ  Ｃｏｎｎｅｃｔｉｖｉｔｙ）のために、複数のセルグループが設定され、
前記複数のセルグループは、マスターセルグループ（ＭＣＧ）とセカンダリセルグループ（ＳＣＧ）とを含み、
前記セカンダリセルグループの少なくとも１つの第1のサービングセルにおいて下りリ
ンクの無線リンク品質をモニタするモニタ部と、
前記セカンダリセルグループの無線リンク障害を検出する制御部と、
前記セカンダリセルグループの無線リンク障害を検出した場合にＳＣＧ障害情報を前記基地局装置に通知する通知部とを具備し、
前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、
前記サービングセルそれぞれの測定結果は、第１の周波数領域の測定結果（第１の測定結果）であって、
第１のサービングセルにおいて、第１の周波数領域に加え、第２の１つまたは複数の周波数領域が設定された場合、
前記第１のサービングセルの第２の１つまたは複数の周波数領域の測定結果（第２の測定結果）を前記ＳＣＧ障害情報に含める端末装置。
【請求項２】
前記第１の測定結果は、マスターセルグループの基地局装置が解釈できる情報として通知され、前記第２の測定結果は、前記セカンダリセルグループの基地局装置が解釈できる情報として通知される請求項１記載の端末装置。
【請求項３】
基地局装置と通信する端末装置に適用される通信方法であって、
前記端末装置は、ＤＣ（Ｄｕａｌ  Ｃｏｎｎｅｃｔｉｖｉｔｙ）のために、複数のセルグループが設定され、
前記複数のセルグループは、マスターセルグループ（ＭＣＧ）とセカンダリセルグループ（ＳＣＧ）とを含み、
前記セカンダリセルグループの少なくとも１つの第1のサービングセルにおいて下りリ
ンクの無線リンク品質をモニタするステップと、
前記セカンダリセルグループの無線リンク障害を検出するステップと、
前記セカンダリセルグループの無線リンク障害を検出した場合にＳＣＧ障害情報を前記基地局装置に通知するステップとを含み、
前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、
前記サービングセルそれぞれの測定結果は、第１の周波数領域の測定結果（第１の測定結果）であって、
第１のサービングセルにおいて、第１の周波数領域に加え、第２の１つまたは複数の周波数領域が設定された場合、
前記第１のサービングセルの第２の１つまたは複数の周波数領域の測定結果（第２の測定結果）を前記ＳＣＧ障害情報に含める通信方法。
【請求項４】
基地局装置と通信する端末装置に実装される集積回路であって、
前記端末装置は、ＤＣ（Ｄｕａｌ  Ｃｏｎｎｅｃｔｉｖｉｔｙ）のために、複数のセルグループが設定され、
前記複数のセルグループは、マスターセルグループ（ＭＣＧ）とセカンダリセルグルー
プ（ＳＣＧ）とを含み、
前記セカンダリセルグループの少なくとも１つの第1のサービングセルにおいて下りリ
ンクの無線リンク品質をモニタする機能と、
前記セカンダリセルグループの無線リンク障害を検出する機能と、
前記セカンダリセルグループの無線リンク障害を検出した場合にＳＣＧ障害情報を前記基地局装置に通知する機能とを前記端末装置に対して発揮させ、
前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、
前記サービングセルそれぞれの測定結果は、第１の周波数領域の測定結果（第１の測定結果）であって、
第１のサービングセルにおいて、第１の周波数領域に加え、第２の１つまたは複数の周波数領域が設定された場合、
前記第１のサービングセルの第２の１つまたは複数の周波数領域の測定結果（第２の測定結果）を前記ＳＣＧ障害情報に含める集積回路。
【発明の詳細な説明】
【技術分野】
【０００１】
本発明は、端末装置、通信方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（３ｒｄ  Ｇｅｎｅｒａｔｉｏｎ
Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。
【先行技術文献】
【非特許文献】
【０００４】
【非特許文献１】ＲＰ−１６１２１４，ＮＴＴ  ＤＯＣＯＭＯ，”Ｒｅｖｉｓｉｏｎ  ｏｆ  ＳＩ：  Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】３ＧＰＰ  Ｒ２−１７００５７４  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿ＡＨｓ／２０１７＿０１＿ＮＲ／Ｄｏｃｓ／Ｒ２−１７００５７４．ｚｉｐ
【非特許文献３】３ＧＰＰ  Ｒ２−１７０１９６７  ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿９７／Ｄｏｃｓ／Ｒ２−１７０１９６７．ｚｉｐ
【非特許文献４】３ＧＰＰ  Ｒ１−１７１６１０９  ｈｔｔｐ：／／ｗｗｗ．３ｇｐｐ．ｏｒｇ／ｆｔｐ／ｔｓｇ＿ｒａｎ／ＷＧ１＿ＲＬ１／ＴＳＧＲ１＿ＡＨ／ＮＲ＿ＡＨ＿１７０９／Ｄｏｃｓ／Ｒ１−１７１６１０９.ｚｉｐ
【発明の概要】
【発明が解決しようとする課題】
【０００５】
ＬＴＥとＮＲの両方のＲＡＴ（Ｒａｄｉｏ  Ａｃｃｅｓｓ  Ｔｅｃｈｎｏｌｏｇｙ）のセルをＲＡＴ毎にセルグループ化して端末装置に割り当て、端末装置と１つ以上の基地局装置とが通信する仕組み（ＥＮ−ＤＣ：Ｅ−ＵＴＲＡ−ＮＲ  Ｄｕａｌ  Ｃｏｎｎｅｃｔｉｖｉｔｙ）が検討されている（非特許文献２）。
【０００６】
さらに、ＥＮ−ＤＣでは、基地局装置と端末装置が、一部の無線リソース制御（ＲＲＣ）測定の設定および報告をセルグループ毎に直接行い、通信に用いる適切なセルを選択する仕組みが検討されている（非特許文献３）。
【０００７】
また、ＮＲではサービングセルの広い帯域の一部をＢＷＰ（Ｂａｎｄ  Ｗｉｄｔｈ  Ｐａｒｔ）として端末装置に１つまたは複数設定して、複数設定された場合、それらのＢＷＰを切り替えて通信することが検討されている（非特許文献４）。
【０００８】
しかしながら、従来のＬＴＥのセルを用いたＤＣ（Ｄｕａｌ  Ｃｏｎｎｅｃｔｉｖｉｔｙ）では、ＢＷＰを考慮していないため、これをＮＲに適用すると、基地局装置と端末装
置との通信を効率的に行うことができないという課題があった。
【０００９】
本発明の一態様は、上記した事情に鑑みてなされたもので、基地局装置との通信を効率的に行うことができる端末装置、該端末装置と通信する基地局装置、該端末装置に用いられる通信方法、該基地局装置に用いられる通信方法、該端末装置に実装される集積回路、該基地局装置に実装される集積回路を提供することを目的の一つとする。
【課題を解決するための手段】
【００１０】
（１）上記の目的を達成するために、本発明の一態様は、以下のような手段を講じた。すなわち、本発明の第１の態様は、基地局装置と通信する端末装置であって、前記端末装置は、ＤＣ（Ｄｕａｌ  Ｃｏｎｎｅｃｔｉｖｉｔｙ）のために、複数のセルグループが設定され、前記複数のセルグループは、マスターセルグループ（ＭＣＧ）とセカンダリセルグループ（ＳＣＧ）とを含み、前記セカンダリセルグループの少なくとも１つの第1のサ
ービングセルにおいて下りリンクの無線リンク品質をモニタするモニタ部と、前記セカンダリセルグループの無線リンク障害を検出する制御部と、前記セカンダリセルグループの無線リンク障害を検出した場合にＳＣＧ障害情報を前記基地局装置に通知する通知部とを具備し、前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、前記サービングセルそれぞれの測定結果は、第１の周波数領域の測定結果（第１の測定結果）であって、第１のサービングセルにおいて、第１の周波数領域に加え、第２の１つまたは複数の周波数領域が設定された場合、前記第１のサービングセルの第２の１つまたは複数の周波数領域の測定結果（第２の測定結果）を前記ＳＣＧ障害情報に含める。
【００１１】
（２）本発明の第２の態様は、基地局装置と通信する端末装置に適用される通信方法であって、前記端末装置は、ＤＣ（Ｄｕａｌ  Ｃｏｎｎｅｃｔｉｖｉｔｙ）のために、複数のセルグループが設定され、前記複数のセルグループは、マスターセルグループ（ＭＣＧ）とセカンダリセルグループ（ＳＣＧ）とを含み、前記セカンダリセルグループの少なくとも１つの第1のサービングセルにおいて下りリンクの無線リンク品質をモニタするステ
ップと、前記セカンダリセルグループの無線リンク障害を検出するステップと、前記セカンダリセルグループの無線リンク障害を検出した場合にＳＣＧ障害情報を前記基地局装置に通知するステップとを含み、前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、前記サービングセルそれぞれの測定結果は、第１の周波数領域の測定結果（第１の測定結果）であって、第１のサービングセルにおいて、第１の周波数領域に加え、第２の１つまたは複数の周波数領域が設定された場合、前記第１のサービングセルの第２の１つまたは複数の周波数領域の測定結果（第２の測定結果）を前記ＳＣＧ障害情報に含める。
【００１２】
（３）本発明の第３の態様は、基地局装置と通信する端末装置に実装される集積回路であって、前記端末装置は、ＤＣ（Ｄｕａｌ  Ｃｏｎｎｅｃｔｉｖｉｔｙ）のために、複数のセルグループが設定され、前記複数のセルグループは、マスターセルグループ（ＭＣＧ）とセカンダリセルグループ（ＳＣＧ）とを含み、前記セカンダリセルグループの少なくとも１つの第1のサービングセルにおいて下りリンクの無線リンク品質をモニタする機能
と、前記セカンダリセルグループの無線リンク障害を検出する機能と、前記セカンダリセルグループの無線リンク障害を検出した場合にＳＣＧ障害情報を前記基地局装置に通知する機能とを前記端末装置に対して発揮させ、前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、前記サービングセルそれぞれの測定結果は、第１の周波数領域の測定結果（第１の測定結果）であっ
て、第１のサービングセルにおいて、第１の周波数領域に加え、第２の１つまたは複数の周波数領域が設定された場合、前記第１のサービングセルの第２の１つまたは複数の周波数領域の測定結果（第２の測定結果）を前記ＳＣＧ障害情報に含める。
【発明の効果】
【００１３】
本発明の一態様によれば、端末装置および基地局装置は、効率的に通信を行うことができる。
【図面の簡単な説明】
【００１４】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係る下りリンクスロットの概略構成の一例を示す図である。
【図５】本発明の実施形態に係るサブフレ−ム、スロット、ミニスロットの時間領域における関係を示した図である。
【図６】本発明の実施形態に係るスロットまたはサブフレ−ムの一例を示す図である。
【図７】本発明の実施形態に係るビームフォーミングの一例を示す図である。
【図８】本発明の実施形態に係るＲＲＣ接続再設定メッセージの一例を示す図である。
【図９】本発明の実施形態に係るＲＲＣ接続再設定メッセージに含まれる要素の一例を示す図である。
【図１０】本発明の実施形態に係るＲＲＣ接続再設定メッセージに含まれる要素の一例を示す図である。
【図１１】本発明の実施形態に係る測定設定手順の一例を示す図である。
【図１２】本発明の実施形態に係る測定設定の一例を示す図である。
【図１３】本発明の実施形態に係る測定結果の一例を示す図である。
【図１４】本発明の実施形態に係るサービングセルの測定結果の一例を示す図である。
【図１５】本発明の実施形態に係る隣接セルの測定結果の一例を示す図である。
【発明を実施するための形態】
【００１５】
以下、本発明の実施形態について説明する。
【００１６】
本実施形態の無線通信システム、および無線ネットワークについて説明する。
【００１７】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＤｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。
【００１８】
図１は、本実施形態の無線通信システムの概念図である。図１において、無線通信システムは、端末装置２および基地局装置３を具備する。また、基地局装置３は、１または複数の送受信点４（ｔｒａｎｓｍｉｓｓｉｏｎ  ｒｅｃｅｐｔｉｏｎ  ｐｏｉｎｔ：ＴＲＰ）を具備してもよい。基地局装置３は、基地局装置３によって制御される通信可能範囲（
通信エリア）を１つまたは複数のセルとして端末装置２をサーブしてもよい。基地局装置３は、コアネットワーク装置を含んでもよい。また、基地局装置３は、１または複数の送受信点４によって制御される通信可能範囲（通信エリア）を１つまたは複数のセルとして端末装置２をサーブしてもよい。また、１つのセルを複数の部分領域（Ｂｅａｍｅｄ  ａｒｅａ、またはＢｅａｍｅｄ  ｃｅｌｌとも称する）にわけ、それぞれの部分領域において端末装置２をサーブしてもよい。ここで、部分領域は、ビ−ムフォーミングで使用されるビ−ムのインデックス、クワジコロケ−ションのインデックスあるいはプリコ−ディングのインデックスに基づいて識別されてもよい。
【００１９】
基地局装置３がカバ−する通信エリアは周波数毎にそれぞれ異なる広さ、異なる形状であっても良い。また、カバ−するエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２０】
基地局装置３から端末装置２への無線通信リンクを下りリンクと称する。端末装置２から基地局装置３への無線通信リンクを上りリンクと称する。端末装置２から他の端末装置２への直接無線通信リンクをサイドリンクと称する。
【００２１】
図１において、端末装置２と基地局装置３の間の無線通信および／または端末装置２と他の端末装置２の間の無線通信では、サイクリックプレフィックス（ＣＰ：Ｃｙｃｌｉｃ
Ｐｒｅｆｉｘ）を含む直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、シングルキャリア周波数多重（ＳＣ−ＦＤＭ：Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅｘｉｎｇ）、離散フ−リエ変換拡散ＯＦＤＭ（ＤＦＴ−Ｓ−ＯＦＤＭ：Ｄｉｓｃｒｅｔｅ  Ｆｏｕｒｉｅｒ  Ｔｒａｎｓｆｏｒｍ  Ｓｐｒｅａｄ  ＯＦＤＭ）、マルチキャリア符号分割多重（ＭＣ−ＣＤＭ：Ｍｕｌｔｉ−Ｃａｒｒｉｅｒ  Ｃｏｄｅ  Ｄｉｖｉｓｉｏｎ  Ｍｕｌｔｉｐｌｅｘｉｎｇ）が用いられてもよい。
【００２２】
また、図１において、端末装置２と基地局装置３の間の無線通信および／または端末装置２と他の端末装置２の間の無線通信では、ユニバ−サルフィルタマルチキャリア（ＵＦＭＣ：Ｕｎｉｖｅｒｓａｌ−Ｆｉｌｔｅｒｅｄ  Ｍｕｌｔｉ−Ｃａｒｒｉｅｒ）、フィルタＯＦＤＭ（Ｆ−ＯＦＤＭ：Ｆｉｌｔｅｒｅｄ  ＯＦＤＭ）、窓関数が乗算されたＯＦＤＭ（Ｗｉｎｄｏｗｅｄ  ＯＦＤＭ）、フィルタバンクマルチキャリア（ＦＢＭＣ：Ｆｉｌｔｅｒ−Ｂａｎｋ  Ｍｕｌｔｉ−Ｃａｒｒｉｅｒ）が用いられてもよい。
【００２３】
なお、本実施形態ではＯＦＤＭを伝送方式としてＯＦＤＭシンボルで説明するが、上述の他の伝送方式の場合を用いた場合も本発明に含まれる。例えば、本実施形態におけるＯＦＤＭシンボルはＳＣ−ＦＤＭシンボル（ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルと称される場合もある）であってもよい。
【００２４】
また、図１において、端末装置２と基地局装置３の間の無線通信および／または端末装置２と他の端末装置２の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２５】
端末装置２は、セルの中を通信エリアとみなして動作する。端末装置２は、非無線接続時（アイドル状態、ＲＲＣ＿ＩＤＬＥ状態とも称する）において、セル再選択手順によって別の適切なセルへ移動してもよい。端末装置２は、無線接続時（コネクティッド状態、
ＲＲＣ＿ＣＯＮＮＥＣＴＥＤ状態とも称する）において、ハンドオ−バ手順によって別のセルへ移動してもよい。適切なセルとは、一般的に、基地局装置３から示される情報に基づいて端末装置２のアクセスが禁止されていないと判断されるセルであって、かつ、下りリンクの受信品質が所定の条件を満たすセルのことを示す。また、端末装置２は、不活動状態（インアクティブ状態とも称する）において、セル再選択手順によって別の適切なセルへ移動してもよい。端末装置２は、不活動状態において、ハンドオ−バ手順によって別のセルへ移動してもよい。
【００２６】
端末装置２がある基地局装置３と通信可能であるとき、その基地局装置３のセルのうち、端末装置２との通信に使用されるように設定されているセルを在圏セル（Ｓｅｒｖｉｎｇ  ｃｅｌｌ、サービングセル）と称して、その他の通信に使用されないセルは周辺セル（Ｎｅｉｇｈｂｏｒｉｎｇ  ｃｅｌｌ）と称してよい。また、サービングセルにおいて必要となるシステム情報の一部あるいは全部は、端末装置２に対して、別のセルで報知または通知される場合もある。
【００２７】
本実施形態では、端末装置２に対して１つまたは複数のサービングセルが設定される。複数のサービングセルが端末装置２に対して設定された場合、設定された複数のサービングセルは、１つのプライマリセルと１つまたは複数のセカンダリセルとを含んでよい。プライマリセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ−ｅｓｔａｂｌｉｓｈｍｅｎｔ）プロシージャを開始したサービングセル、または、ハンドオ−バプロシージャにおいてプライマリセルと指示されたセルでもよい。ＲＲＣ（Ｒａｄｉｏ  Ｒｅｓｏｕｒｃｅ  Ｃｏｎｔｒｏｌ）接続が確立された時点、または、ＲＲＣ接続が確立された後に、１つまたは複数のセカンダリセルが設定されてもよい。また、プライマリセル（ＰＣｅｌｌ）を含む１つまたは複数のサービングセルで構成されるセルグループ（マスターセルグループ（ＭＣＧ）とも称する）と、プライマリセルを含まず、少なくともランダムアクセス手順が実施可能であり非活性状態とならないプライマリセカンダリセル（ＰＳＣｅｌｌ）を含む１つまたは複数のサービングセルで構成される１つまたは複数のセルグループ（セカンダリセルグループ（ＳＣＧ）とも称する）とが端末装置２に対して設定されてもよい。マスターセルグループは１つのプライマリセルと０個以上のセカンダリセルで構成される。セカンダリセルグループは１つのプライマリセカンダリセルと０個以上のセカンダリセルで構成される。また、ＭＣＧとＳＣＧの何れかはＬＴＥのセルで構成されるセルグループであってもよい。
【００２８】
本実施形態の無線通信システムは、ＴＤＤ（Ｔｉｍｅ  Ｄｉｖｉｓｉｏｎ  Ｄｕｐｌｅｘ）および／またはＦＤＤ（Ｆｒｅｑｕｅｎｃｙ  Ｄｉｖｉｓｉｏｎ  Ｄｕｐｌｅｘ）が適用されてよい。複数のセルの全てに対してＴＤＤ（Ｔｉｍｅ  Ｄｉｖｉｓｉｏｎ  Ｄｕｐｌｅｘ）方式またはＦＤＤ（Ｆｒｅｑｕｅｎｃｙ  Ｄｉｖｉｓｉｏｎ  Ｄｕｐｌｅｘ）方式が適用されてもよい。また、ＴＤＤ方式が適用されるセルとＦＤＤ方式が適用されるセルが集約されてもよい。
【００２９】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００３０】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００３１】
図１において、端末装置２と基地局装置３の下りリンク無線通信では、以下の下りリンク物理チャネルが用いられる。
【００３２】
・ＰＢＣＨ（Ｐｈｙｓｉｃａｌ  Ｂｒｏａｄｃａｓｔ  ＣＨａｎｎｅｌ）
・ＰＤＣＣＨ（Ｐｈｙｓｉｃａｌ  Ｄｏｗｎｌｉｎｋ  Ｃｏｎｔｒｏｌ  ＣＨａｎｎｅｌ）
・ＰＤＳＣＨ（Ｐｈｙｓｉｃａｌ  Ｄｏｗｎｌｉｎｋ  Ｓｈａｒｅｄ  ＣＨａｎｎｅｌ）・ＰＵＣＣＨ（Ｐｈｙｓｉｃａｌ  Ｕｐｌｉｎｋ  Ｃｏｎｔｒｏｌ  ＣＨａｎｎｅｌ）
・ＰＵＳＣＨ（Ｐｈｙｓｉｃａｌ  Ｕｐｌｉｎｋ  Ｓｈａｒｅｄ  ＣＨａｎｎｅｌ）
・ＰＲＡＣＨ（Ｐｈｙｓｉｃａｌ  Ｒａｎｄｏｍ  Ａｃｃｅｓｓ  ＣＨａｎｎｅｌ）
【００３３】
ＰＢＣＨは、端末装置２が必要とする重要なシステム情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ  Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Ｗｒａｐ  ａｒｏｕｎｄ）。また、セル内の領域ごとに異なる重要情報ブロックが送信される場合には領域を識別できる情報（例えば、領域を構成する基地局送信ビームの識別子情報）が含まれてもよい。例えば、重要情報には、セルへの接続やモビリティのために必要な情報が含まれてもよい。また、重要情報メッセージはシステム情報メッセージの一部であってもよい。また、重要情報メッセージの一部あるいは全部が、最少システム情報（Ｍｉｎｉｍｕｍ  ＳＩ）と称されてもよい。あるセルにおける有効な最少システム情報のすべてが取得できない場合に、端末装置２は、そのセルをアクセスが禁止されたセル（Ｂａｒｒｅｄ  Ｃｅｌｌ）とみなしてもよい。また、最少システム情報の一部のみがＰＢＣＨで報知され、残りの最少システム情報が後述するＰＤＳＣＨで送信されてもよい。
【００３４】
また、ＰＢＣＨは、後述する同期信号を含むブロック（ＳＳ／ＰＢＣＨブロック、ＳＳブロックとも称する）の周期内の時間インデックスを報知するために用いられてよい。ここで、時間インデックスは、セル内の同期信号およびＰＢＣＨのインデックスを示す情報である。例えば、３つの送信ビームを用いてＳＳブロックを送信する場合、予め定められた周期内または設定された周期内の時間順を示してよい。また、端末装置２は、時間インデックスの違いを送信ビームの違いと認識してもよい。
【００３５】
ＰＤＣＣＨは、下りリンクの無線通信（基地局装置３から端末装置２への無線通信）において、下りリンク制御情報（Ｄｏｗｎｌｉｎｋ  Ｃｏｎｔｒｏｌ  Ｉｎｆｏｒｍａｔｉｏｎ：ＤＣＩ）を送信するために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマ
ップされる。
【００３６】
例えば、ＤＣＩとして、スロットフォーマットを示す情報が指示されてもよい。例えば、ＤＣＩとして、ＰＤＣＣＨおよび／またはＰＤＳＣＨが含まれる下りリンクの送信期間、ギャップ、ＰＵＣＣＨおよび／またはＰＵＳＣＨ、ＳＲＳが含まれる上りリンクの送信期間を示す情報を含むＤＣＩが定義されてもよい。
【００３７】
例えば、ＤＣＩとして、スケジューリングされたＰＤＳＣＨの送信期間を示す情報を含むＤＣＩが定義されてもよい。
【００３８】
例えば、ＤＣＩとして、スケジューリングされたＰＵＳＣＨの送信期間を示す情報を含むＤＣＩが定義されてもよい。
【００３９】
例えば、ＤＣＩとして、スケジューリングされたＰＤＳＣＨに対するＨＡＲＱ−ＡＣＫを送信するタイミングを示す情報を含むＤＣＩが定義されてもよい。
【００４０】
例えば、ＤＣＩとして、スケジューリングされたＰＵＳＣＨに対するＨＡＲＱ−ＡＣＫを送信するタイミングを示す情報を含むＤＣＩが定義されてもよい。
【００４１】
例えば、ＤＣＩとして、１つのセルにおける１つの下りリンクの無線通信ＤＳＣＨ（１つの下りリンクトランスポートブロックの送信）のスケジューリングのために用いられるＤＣＩが定義されてもよい。
【００４２】
例えば、ＤＣＩとして、１つのセルにおける１つの上りリンクの無線通信ＰＵＳＣＨ（１つの上りリンクトランスポートブロックの送信）のスケジューリングのために用いられるＤＣＩが定義されてもよい。
【００４３】
ここで、ＤＣＩには、ＰＤＳＣＨあるいはＰＵＳＣＨのスケジューリングに関する情報が含まれる。ここで、下りリンクに対するＤＣＩを、下りリンクグラント（ｄｏｗｎｌｉｎｋ  ｇｒａｎｔ）、または、下りリンクアサインメント（ｄｏｗｎｌｉｎｋ  ａｓｓｉｇｎｍｅｎｔ）とも称する。ここで、上りリンクに対するＤＣＩを、上りリンクグラント（ｕｐｌｉｎｋ  ｇｒａｎｔ）、または、上りリンクアサインメント（Ｕｐｌｉｎｋ  ａｓｓｉｇｎｍｅｎｔ）とも称する。
【００４４】
ＰＵＣＣＨは、上りリンクの無線通信（端末装置２から基地局装置３の無線通信）において、上りリンク制御情報（ＵＣＩ：Ｕｐｌｉｎｋ  Ｃｏｎｔｒｏｌ  Ｉｎｆｏｒｍａｔｉｏｎ）を送信するために用いられる。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。ＨＡＲＱ−ＡＣＫは、下りリンクデータ（Ｔｒａｎｓｐｏｒｔ  ｂｌｏｃｋ，  Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ：ＭＡＣ  ＰＤＵ，  Ｄｏｗｎｌｉｎｋ−Ｓｈａｒｅｄ  Ｃｈａｎｎｅｌ：ＤＬ−ＳＣＨ）に対するＨＡＲＱ−ＡＣＫを示してもよい。
【００４５】
ＰＤＳＣＨは、媒介アクセス（ＭＡＣ：Ｍｅｄｉｕｍ  Ａｃｃｅｓｓ  Ｃｏｎｔｒｏｌ）層からの下りリンクデータ（ＤＬ−ＳＣＨ：Ｄｏｗｎｌｉｎｋ  Ｓｈａｒｅｄ  ＣＨａ
ｎｎｅｌ）の送信に用いられる。また、システム情報（ＳＩ：Ｓｙｓｔｅｍ  Ｉｎｆｏｒｍａｔｉｏｎ）やランダムアクセス応答（ＲＡＲ：Ｒａｎｄｏｍ  Ａｃｃｅｓｓ  Ｒｅｓｐｏｎｓｅ）などの送信にも用いられる。
【００４６】
ＰＵＳＣＨは、ＭＡＣ層からの上りリンクデータ（ＵＬ−ＳＣＨ：Ｕｐｌｉｎｋ  Ｓｈａｒｅｄ  ＣＨａｎｎｅｌ）または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４７】
ここで、基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ ｉｎｆｏｒｍａｔｉｏｎ：Ｒａｄｉｏ  Ｒｅｓｏｕｒｃｅ  Ｃ
ｏｎｔｒｏｌ  ｉｎｆｏｒｍａｔｉｏｎとも称される）を送受信してもよい。また、基地局装置３と端末装置２は、ＭＡＣ（Ｍｅｄｉｕｍ  Ａｃｃｅｓｓ  Ｃｏｎｔｒｏｌ）層において、ＭＡＣコントロールエレメントを送受信してもよい。ここで、ＲＲＣシグナリング、および／または、ＭＡＣコントロールエレメントを、上位層の信号（ｈｉｇｈｅｒ  ｌａｙｅｒ  ｓｉｇｎａｌｉｎｇ）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００４８】
ＰＤＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置２に対して共通のシグナリングであってもよい。また、基地局装置３から送信されるＲＲＣシグナリングは、ある端末装置２に対して専用のシグナリング（ｄｅｄｉｃａｔｅｄ  ｓｉｇｎａｌｉｎｇとも称する）であってもよい。すなわち、端末装置固有（ＵＥスペシフィック）な情報は、ある端末装置２に対して専用のシグナリングを用いて送信されてもよい。また、ＰＵＳＣＨは、上りリンクにおいてＵＥの能力（ＵＥ  Ｃａｐａｂｉｌｉｔｙ）の送信に用いられてもよい。
【００４９】
ＰＲＡＣＨは、ランダムアクセスプリアンブルを送信するために用いられてもよい。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられてもよい。
【００５０】
図１において、下りリンクの無線通信では、以下の下りリンク物理信号が用いられる。ここで、下りリンク物理信号は、上位層から出力された情報を送信するために使用されないが、物理層によって使用される。
・同期信号（Ｓｙｎｃｈｒｏｎｉｚａｔｉｏｎ  ｓｉｇｎａｌ：ＳＳ）
・参照信号（Ｒｅｆｅｒｅｎｃｅ  Ｓｉｇｎａｌ：ＲＳ）
【００５１】
同期信号は、端末装置２が下りリンクの周波数領域および時間領域の同期をとるために用いられる。同期信号は、プライマリ同期信号（ＰＳＳ：Ｐｒｉｍａｒｙ  Ｓｙｎｃｈｒｏｎｉｚａｔｉｏｎ  Ｓｉｇｎａｌ）およびセカンダリ同期信号（Ｓｅｃｏｎｄ  Ｓｙｎｃｈｒｏｎｉｚａｔｉｏｎ  Ｓｉｇｎａｌ）を含んでよい。また、同期信号は、端末装置
２がセル識別子（セルＩＤ：Ｃｅｌｌ  Ｉｄｅｎｔｉｆｉｅｒ、ＰＣＩ：Ｐｈｙｓｉｃａｌ  Ｃｅｌｌ  Ｉｄｅｎｔｉｆｉｅｒとも称する）を特定するために用いられてもよい。また、同期信号は、下りリンクビームフォーミングにおいて基地局装置３が用いる基地局送信ビームおよび／または端末装置２が用いる端末受信ビームの選択／識別／決定に用いられてよい。すなわち、同期信号は、基地局装置３によって下りリンク信号に対して適用された基地局送信ビームのインデックスを、端末装置２が選択／識別／決定するために用いられてもよい。なお、ビームは、送信または受信フィルタ設定と呼ばれてもよい。また、同期信号は、セルの品質を測定するために用いられてもよい。例えば同期信号の受信電力（ＲＳＲＰ）や受信品質（ＲＳＲＱ）が測定に用いられてよい。また、同期信号は、一部の下りリンク物理チャネルの伝搬路補正を行なうために用いられてもよい。
【００５２】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
【００５３】
・ＤＭＲＳ（Ｄｅｍｏｄｕｌａｔｉｏｎ  Ｒｅｆｅｒｅｎｃｅ  Ｓｉｇｎａｌ）
・ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）
・ＰＴＲＳ（Ｐｈａｓｅ  Ｔｒａｃｋｉｎｇ  Ｒｅｆｅｒｅｎｃｅ  Ｓｉｇｎａｌ）
・ＴＲＳ（Ｔｒａｃｋｉｎｇ  Ｒｅｆｅｒｅｎｃｅ  Ｓｉｇｎａｌ）
【００５４】
ＤＭＲＳは、受信した変調信号の復調時の伝搬路補償に用いられてよい。なお、ＤＭＲＳには、ＰＢＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Ｃｈａｎｎｅｌ  Ｓｔａｔｅ  Ｉｎｆｏｒｍａｔｉｏｎ）の測定およびビームマネジメントに用いられてよい。ＰＴＲＳは、位相雑音に起因する周波数オフセットを保証する目的で、時間軸で位相をトラックするために用いられてよい。ＴＲＳは、高速移動時におけるドップラーシフトを保証するために使用されてよい。なお、ＴＲＳはＣＳＩ−ＲＳの１つの設定として用いられてよい。例えば、１ポートのＣＳＩ−ＲＳがＴＲＳとして無線リソースが設定されてもよい。
【００５５】
ただし、上記複数の参照信号の少なくとも一部は、他の参照信号がその機能を有してもよい。
【００５６】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置２に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００５７】
また、参照信号の少なくとも１つは、無線パラメータやサブキャリア間隔などのヌメロロジーやＦＦＴの窓同期などができる程度の細かい同期（Ｆｉｎｅ  ｓｙｎｃｈｒｏｎｉｚａｔｉｏｎ）に用いられて良い。
【００５８】
また、参照信号の少なくとも１つは、無線リソース管理（ＲＲＭ：Ｒａｄｉｏ  Ｒｅｓｏｕｒｃｅ  Ｍａｎａｇｅｍｅｎｔ）測定に用いられてよい。また、参照信号の少なくとも１つは、ビームマネジメントに用いられてよい。無線リソース管理測定のことを以下では単に測定とも称する。
【００５９】
ＢＣＨ、ＵＬ−ＳＣＨおよびＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。トランスポートブロックは、ＭＡＣ層が物理層に渡す（ｄｅｌｉｖｅｒ）デ−タの単位である。物理層において、トランスポートブロックはコ−ドワードにマップされ、コ−ドワード毎に符号化処理が行なわれる。
【００６０】
ビームマネジメントは、送信装置（下りリンクの場合は基地局装置３であり、上りリンクの場合は端末装置２である）におけるアナログおよび／またはディジタルビームと、受信装置（下りリンクの場合は端末装置２、上りリンクの場合は基地局装置３である）におけるアナログおよび／またはディジタルビームの指向性を合わせ、ビーム利得を獲得するための基地局装置３および／または端末装置２の手続きであってよい。
【００６１】
なお、ビームペアリンクを構成、設定または確立する手続きとして、下記の手続きを含んでよい。
・ビーム選択（Ｂｅａｍ  ｓｅｌｅｃｔｉｏｎ）
・ビーム改善（Ｂｅａｍ  ｒｅｆｉｎｅｍｅｎｔ）
・ビームリカバリ（Ｂｅａｍ  ｒｅｃｏｖｅｒｙ）
【００６２】
例えば、ビーム選択は、基地局装置３と端末装置２の間の通信においてビームを選択する手続きであってよい。また、ビーム改善は、さらに利得の高いビームの選択、あるいは端末装置２の移動によって最適な基地局装置３と端末装置２の間のビームの変更をする手続きであってよい。ビームリカバリは、基地局装置３と端末装置２の間の通信において遮蔽物や人の通過などにより生じるブロッケージにより通信リンクの品質が低下した際にビームを再選択する手続きであってよい。
【００６３】
ビームマネジメントには、ビーム選択、ビーム改善が含まれてよい。ビームリカバリには、下記の手続きを含んでよい。
・ビーム障害（ｂｅａｍ  ｆａｉｌｕｒｅ）の検出
・新しいビームの発見
・ビームリカバリリクエストの送信
・ビームリカバリリクエストに対する応答のモニタ
【００６４】
例えば、端末装置２における基地局装置３の送信ビームを選択する際にＣＳＩ−ＲＳまたはＳＳ／ＰＢＣＨブロックに含まれるＳＳＳのＲＳＲＰ（Ｒｅｆｅｒｅｎｃｅ  Ｓｉｇｎａｌ  Ｒｅｃｅｉｖｅｄ  Ｐｏｗｅｒ）を用いてもよいし、ＣＳＩを用いてもよい。また、基地局装置３への報告としてＣＳＩ−ＲＳリソースインデックス（ＣＲＩ：ＣＳＩ−ＲＳ  Ｒｅｓｏｕｒｃｅ  Ｉｎｄｅｘ）を用いてもよいし、ＳＳ／ＰＢＣＨブロックに含まれるＰＢＣＨで報知される時間インデックスを用いてもよい。
【００６５】
また、基地局装置３は、端末装置２へビームを指示する際にＣＲＩまたはＳＳ／ＰＢＣＨの時間インデックスを指示し、端末装置２は、指示されたＣＲＩまたはＳＳ／ＰＢＣＨの時間インデックスに基づいて受信する。このとき、端末装置２は指示されたＣＲＩまたはＳＳ／ＰＢＣＨの時間インデックスに基づいて空間フィルタを設定し、受信してよい。また、端末装置２は、疑似同位置（ＱＣＬ：Ｑｕａｓｉ−Ｃｏ−Ｌｏｃａｔｉｏｎ）の想定を用いて受信してもよい。ある信号（アンテナポート、同期信号、参照信号など）が別の信号（アンテナポート、同期信号、参照信号など）とＱＣＬであるまたは、ＱＣＬ想定
されるとは、ある信号が別の信号と関連付けられていると解釈できる。
【００６６】
もしあるアンテナポートにおけるあるシンボルが搬送されるチャネルの長区間特性（Ｌｏｎｇ  Ｔｅｒｍ  Ｐｒｏｐｅｒｔｙ）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００６７】
このＱＣＬは、ビームマネジメントにも拡張されうる。そのために、空間に拡張したＱＣＬが新たに定義されてもよい。例えば、空間のＱＣＬ想定におけるチャネルの長区間特性（Ｌｏｎｇ  ｔｅｒｍ  ｐｒｏｐｅｒｔｙ）として、無線リンクあるいはチャネルにおける到来角（ＡｏＡ（Ａｎｇｌｅ  ｏｆ  Ａｒｒｉｖａｌ）, ＺｏＡ（Ｚｅｎｉｔｈ  ａｎｇｌｅ  ｏｆ  Ａｒｒｉｖａｌ）など）および／または角度広がり（Ａｎｇｌｅ  Ｓｐｒｅａｄ、例えばＡＳＡ（Ａｎｇｌｅ  Ｓｐｒｅａｄ  ｏｆ  Ａｒｒｉｖａｌ）やＺＳＡ（Ｚｅｎｉｔｈ  ａｎｇｌｅ  Ｓｐｒｅａｄ  ｏｆ  Ａｒｒｉｖａｌ））、送出角（ＡｏＤ、ＺｏＤなど）やその角度広がり（Ａｎｇｌｅ  Ｓｐｒｅａｄ、例えばＡＳＤ（Ａｎｇｌｅ  Ｓｐｒｅａｄ  ｏｆ  Ｄｅｐａｒｔｕｒｅ）やＺＳＳ（Ｚｅｎｉｔｈ  ａｎｇｌｅ
Ｓｐｒｅａｄ  ｏｆ  Ｄｅｐａｒｔｕｒｅ））、空間相関（Ｓｐａｔｉａｌ  Ｃｏｒｒｅｌａｔｉｏｎ）、受信空間パラメータであってもよい。
【００６８】
例えば、アンテナポート１とアンテナポート２の間で受信空間パラメータに関してＱＣＬであるとみなせる場合、アンテナポート１からの信号を受信する受信ビーム（空間フィルタ）からアンテナポート２からの信号を受信する受信ビームが推論されうることを意味する。
【００６９】
この方法により、ビームマネジメントおよびビーム指示／報告として、空間のＱＣＬ想定と無線リソース（時間および／または周波数）によりビームマネジメントと等価な基地局装置３、端末装置２の動作が定義されてもよい。
【００７０】
本実施形態の無線プロトコル構造について説明する。
【００７１】
本実施形態では、端末装置２及び基地局装置３のユーザデータを扱うプロトコルスタックをユーザプレーン（ＵＰ（Ｕｓｅｒ−ｐｌａｎｅ、Ｕ−Ｐｌａｎｅ））プロトコルスタック、制御デ−タを扱うプロトコルスタックを制御プレ−ン（ＣＰ（Ｃｏｎｔｒｏｌ−ｐｌａｎｅ、Ｃ−Ｐｌａｎｅ））プロトコルスタックと称する。
【００７２】
物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデ−タが移動する。端末装置２と基地局装置３のＰＨＹ層間において、物理チャネルを介してデ−タの送受信が行われる。
【００７３】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ層は、間欠受送信（ＤＲＸ・ＤＴＸ）するた
めにＰＨＹ層の制御を行う機能、ランダムアクセス手順を実行する機能、送信電力の情報を通知する機能、ＨＡＲＱ制御を行う機能などを持つ。
【００７４】
ＲＬＣ層は、上位層から受信したデ−タを分割（Ｓｅｇｍｅｎｔａｔｉｏｎ）し、下位層が適切にデ−タ送信できるようにデ−タサイズを調節する。また、ＲＬＣ層は、各デ−タが要求するＱｏＳ（Ｑｕａｌｉｔｙ  ｏｆ  Ｓｅｒｖｉｃｅ）を保証するための機能も持つ。すなわち、ＲＬＣ層は、デ−タの再送制御等の機能を持つ。
【００７５】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持ってもよい。また、ＰＤＣＰ層は、デ−タの暗号化の機能も持ってもよい。
【００７６】
サービスデータアダプテーションプロトコル層（Ｓｅｒｖｉｃｅ  Ｄａｔａ  Ａｄａｐｔａｔｉｏｎ  Ｐｒｏｔｏｃｏｌ  ｌａｙｅｒ：ＳＤＡＰ層）は、コアネットワークから基地局装置３を介して端末装置２に送られるダウンリンクデータのＱｏＳと、前記ダウンリンクデータに関連付けられたアップリンクデータのＱｏＳとを対応付け、後述するＤＲＢにマッピングする機能を持ってもよい。
【００７７】
さらに、制御プレ−ンプロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。基地局装置３と端末装置２のＲＲＣ層間で各ＲＢの設定が行われてもよい。
【００７８】
ＳＲＢはＲＲＣメッセージとＮＡＳメッセージを送信するために用いられる無線ベアラとして定義される。さらに、ＳＲＢは、ＣＣＣＨ論理チャネルを用いるＲＲＣメッセージのためのＳＲＢ（ＳＲＢ０）、ＤＣＣＨ論理チャネルを用いるＲＲＣメッセージとＳＲＢ２の確立よりも前に送信されるＮＡＳメッセージのためのＳＲＢ（ＳＲＢ１）、ＤＣＣＨ論理チャネルを用いるＮＡＳメッセージと記録された測定情報（Ｌｏｇｇｅｄ  ｍｅａｓｕｒｅｍｅｎｔ  ｉｎｆｏｒｍａｔｉｏｎ）などを含むＲＲＣメッセージのためのＳＲＢ（ＳＲＢ２）、が定義されてよい。また、それ以外のＳＲＢが定義されてよい。
【００７９】
ＭＣＧ  ＳＲＢは、ＭＣＧのＳＲＢを用いて、送信される。ＭＣＧ  Ｓｐｌｉｔ  ＳＲＢは、ＭＣＧまたはＳＣＧのＳＲＢを用いて、送信されるが、ＰＤＣＰが、ＭＣＧ側に配置されるので、本明細書では、ＭＣＧ  ＳＲＢとして説明する。すなわち、“ＭＣＧ  ＳＲＢ“は、“ＭＣＧ  ＳＲＢおよび／またはＭＣＧ  Ｓｐｌｉｔ  ＳＲＢ“と置き換えてもよい。ＳＣＧ  ＳＲＢは、ＳＣＧのＳＲＢを用いて、送信される。ＳＣＧ  Ｓｐｌｉｔ
ＳＲＢは、ＭＣＧまたはＳＣＧのＳＲＢを用いて、送信されるが、ＰＤＣＰが、ＳＣＧ側に配置されるので、本明細書では、ＳＣＧ  ＳＲＢとして説明する。すなわち、“ＳＣＧ  ＳＲＢ“は、“ＳＣＧ  ＳＲＢおよび／またはＳＣＧ  Ｓｐｌｉｔ  ＳＲＢ“と置き換えてもよい。
【００８０】
また、ＭＣＧ  ＳＲＢにはＳＲＢ０とＳＲＢ１とＳＲＢ２とが用意されるかもしれない。また、ＳＣＧ  ＳＲＢにはＳＲＢ１と同等の機能をもつＳＲＢ３が用意されてもよい。ＳＣＧ  ＳＲＢにはＳＲＢ０および／またはＳＲＢ２と同等の機能をもつＳＲＢが用意さ
れないかもしれない。
【００８１】
また、ＭＣＧ  ＳＲＢでは、ＮＡＳメッセージおよびＲＲＣメッセージを送ることができ、ＳＣＧ  ＳＲＢでは、ＲＲＣメッセージを送ることができるようにしてもよい。ＳＣＧ  ＳＲＢでは、ＮＡＳメッセージを送ることができないようにしてもよい。
【００８２】
ＭＣＧ  ＤＲＢは、ＭＣＧのＤＲＢを用いて、送信される。ＭＣＧ  Ｓｐｌｉｔ  ＤＲＢは、ＭＣＧまたはＳＣＧのＤＲＢを用いて、送信されるが、ＰＤＣＰが、ＭＣＧ側に配置されるので、本明細書では、ＭＣＧ  ＤＲＢとして説明する。すなわち、“ＭＣＧ  ＤＲＢ“は、“ＭＣＧ  ＤＲＢおよび／またはＭＣＧ  Ｓｐｌｉｔ  ＤＲＢ“と置き換えてもよい。ＳＣＧ  ＤＲＢは、ＳＣＧのＤＲＢを用いて、送信される。ＳＣＧ  Ｓｐｌｉｔ
ＤＲＢは、ＭＣＧまたはＳＣＧのＤＲＢを用いて、送信されるが、ＰＤＣＰが、ＳＣＧ側に配置されるので、本明細書では、ＳＣＧ  ＤＲＢとして説明する。すなわち、“ＳＣＧ  ＤＲＢ“は、“ＳＣＧ  ＤＲＢおよび／またはＳＣＧ  Ｓｐｌｉｔ  ＤＲＢ“と置き換えてもよい。
【００８３】
なお、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデ−タリンク層に対応し、ＲＲＣ層はＯＳＩモデルの第三層であるネットワーク層に対応する。
【００８４】
上記のＭＡＣ層、ＲＬＣ層及びＰＤＣＰ層の機能分類は一例であり、各機能の一部あるいは全部が実装されなくてもよい。また、各層の機能の一部あるいは全部が他の層に含まれてもよい。例えば、物理層から見れば、ＭＡＣ層のコントロ−ルエレメント、およびＲＲＣシグナリングは、上位層の信号である。例えば、ＭＡＣ層から見れば、ＲＲＣシグナリングは、上位層の信号である。ＲＲＣ層から見れば、ＭＡＣ層および物理層は、下位層である。ＲＲＣ層から見て、例えばＮＡＳ層は、上層（Ｕｐｐｅｒ  Ｌａｙｅｒ）とも称する。
【００８５】
また、ネットワークと端末装置２との間で用いられるシグナリングプロトコルは、アクセス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば、端末装置２とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置３を介して透過的に行われる。
【００８６】
以下、サブフレ−ムについて説明する。本実施形態ではサブフレ−ムと称するが、リソースユニット、無線フレ−ム、時間区間、時間間隔などと称されてもよい。また、１つまたは複数のサブフレ−ムが１つの無線フレ−ムを構成してもよい。
【００８７】
図４は、本発明の実施形態に係る下りリンクスロットの概略構成の一例を示す図である。無線フレ−ムのそれぞれは、１０ｍｓ長である。また、無線フレ−ムのそれぞれは１０個のサブフレ−ムおよびＸ個のスロットから構成される。つまり、１サブフレ−ムの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Ｎｏｒｍａｌ  Ｃｙｃｌｉｃ  Ｐｒｅｆｉｘ）の場合、Ｘ＝７あるいはＸ＝１４であり、それぞれ０．５
ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図４は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図４のセルの帯域幅は帯域の一部（ＢＷＰ：Ｂａｎｄ  Ｗｉｄｔｈ  Ｐａｒｔ）として定義されてもよい。あるいは、ＢＷＰはセルの帯域幅の一部として定義されてもよい。また、スロットは、送信時間間隔（ＴＴＩ：Ｔｒａｎｓｍｉｓｓｉｏｎ  Ｔｉｍｅ  Ｉｎｔｅｒｖａｌ）と定義されてもよい。スロットは、ＴＴＩとして定義されなくてもよい。ＴＴＩは、トランスポートブロックの送信期間であってもよい。
【００８８】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００８９】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Ｅｘｔｅｎｄｅｄ  ＣＰ）の場合、１つの物理リソースブロックは、例えば、時間領域において６個の連続するOFDMシンボルと、周波数領域において１２個の連続するサブキャリアとにより定義される。つまり、1つ
の物理リソースブロックは、（６×１２）個のリソースエレメントから構成される。このとき、1つの物理リソースブロックは、時間領域において１つのスロットに対応し、１５
ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００９０】
サブキャリア間隔設定μについて説明する。ＮＲでは、複数のＯＦＤＭヌメロロジーがサポートされる。あるＢＷＰにおいて、サブキャリア間隔設定μ（μ＝０，１，．．．，５）と、サイクリックプレフィックス長は、下りリンクのＢＷＰに対して上位レイヤで与えられ、上りリンクのＢＷＰにおいて上位レイヤで与えられる。ここで、μが与えられると、サブキャリア間隔Δｆは、Δｆ＝２＾μ・１５（ｋＨｚ）で与えられる。
【００９１】
サブキャリア間隔設定μにおいて、スロットは、サブフレーム内で０からＮ＾{ｓｕｂ
ｆｒａｍｅ，μ｝＿｛ｓｌｏｔ｝−１に昇順に数えられ、フレーム内で０からＮ＾｛ｆｒａｍｅ，μ｝＿｛ｓｌｏｔ｝−１に昇順に数えられる。スロット設定およびサイクリックプレフィックスに基づいてＮ＾｛ｓｌｏｔ｝＿｛ｓｙｍｂ｝の連続するＯＦＤＭシンボルがスロット内にある。Ｎ＾｛ｓｌｏｔ｝＿｛ｓｙｍｂ｝は７または１４である。サブフレーム内のスロットｎ＾｛μ｝＿｛ｓ｝のスタートは、同じサブフレーム内のｎ＾｛μ｝＿｛ｓ｝  Ｎ＾｛ｓｌｏｔ｝＿｛ｓｙｍｂ｝番目のＯＦＤＭシンボルのスタートと時間でアラインされている。
【００９２】
次に、サブフレ−ム、スロット、ミニスロットについて説明する。図５は、サブフレ−
ム、スロット、ミニスロットの時間領域における関係を示した図である。同図のように、３種類の時間ユニットが定義される。サブフレ−ムは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレ−ムには１４ＯＦＤＭシンボル含まれる。
【００９３】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジュ−リングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。
【００９４】
図６は、スロットまたはサブフレ−ム（サブフレ−ムタイプ）の一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパ−ト（デュレ−ション）
・ギャップ
・上りリンクパ−ト（デュレ−ション）
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００９５】
図６（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図６（ｂ）は、最初の時間リソースで例えばＰＣＣHを介して上りリンクのスケジュ
−リングを行い、ＰＣＣＨの処理遅延及び下りから上りの切り替え時間、送信信号の生成のためのギャップを介して上りリンク信号を送信する。図６（ｃ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介してＰＳＣＨまたはＰＣＣＨの送信に用いられる。ここで、一例としては、上りリンク信号はＨＡＲＱ−ＡＣＫおよび／またはＣＳＩ、すなわちＵＣＩの送信に用いられてよい。図６（ｄ）は、最初の時間リソースで下りリンクのＰＣＣＨおよび／または下りリンクのＰＳＣＨの送信に用いられ、処理遅延及び下りから上りの切り替え時間、送信信号の生成のためのギャップを介して上りリンクのＰＳＣＨおよび／またはＰＣＣＨの送信に用いられる。ここで、一例としては、上りリンク信号は上りリンクデ−タ、すなわちＵＬ−ＳＣＨの送信に用いられてもよい。図６（ｅ）は、全て上りリンク送信（上りリンクのＰＳＣＨまたはＰＣＣＨ）に用いられている例である。
【００９６】
上述の下りリンクパ−ト、上りリンクパ−トは、ＬＴＥと同様複数のＯＦＤＭシンボルで構成されてよい。
【００９７】
図７は、ビームフォーミングの一例を示した図である。複数のアンテナエレメントが１つの送信ユニット（ＴＸＲＵ：Ｔｒａｎｓｃｅｉｖｅｒ  ｕｎｉｔ）７１０に接続され、アンテナエレメント毎の位相シフタ１１によって位相を制御し、アンテナエレメント７１２から送信することで送信信号に対して任意の方向にビームを向けることができる。典型的には、ＴＸＲＵがアンテナポートとして定義されてよく、端末装置２においてはアンテナポートのみが定義されてよい。位相シフタ７１１を制御することで任意の方向に指向性を向けることができるため、基地局装置３は端末装置２に対して利得の高いビームを用いて通信することができる。
【００９８】
ＢＷＰ（Ｂａｎｄ  Ｗｉｄｔｈ  Ｐａｒｔ）について、説明を行う。
【００９９】
ＢＷＰはサービングセルの帯域の一部あるいは全部の帯域であってよい。また、ＢＷＰはキャリアＢＷＰ（Ｃａｒｒｉｅｒ  ＢＷＰ）と呼称されてもよい。端末装置２には、１つまたは複数のＢＷＰが設定されてよい。あるＢＷＰは初期セルサーチで検出された同期信号に対応づけられた報知情報に含まれる情報によって設定されてもよい。また、あるＢＷＰは初期セルサーチを行う周波数に対応づけられた周波数帯域幅であってもよい。また、あるＢＷＰはＲＲＣシグナリング（例えばＤｅｄｉｃａｔｅｄ  ＲＲＣ  ｓｉｇｎａｌｉｎｇ）で設定されてもよい。また、下りリンクのＢＷＰ（ＤＬ  ＢＷＰ）と上りリンクのＢＷＰ（ＵＬ  ＢＷＰ）とが個別に設定されてもよい。また、１つまたは複数の上りリンクのＢＷＰが１つまたは複数の下りリンクのＢＷＰと対応づけられてよい。また、上りリンクのＢＷＰと下りリンクのＢＷＰとの対応づけは既定の対応づけであってもよいし、ＲＲＣシグナリング（例えばＤｅｄｉｃａｔｅｄ  ＲＲＣ  ｓｉｇｎａｌｉｎｇ）による対応付けでもよいし、物理層のシグナリング（例えば下りリンク制御チャネルで通知される下りリンク制御情報（ＤＣＩ）による対応付けであってもよいし、それらの組み合わせであってもよい。
【０１００】
ＢＷＰは連続する物理無線ブロック（ＰＲＢ：Ｐｈｙｓｉｃａｌ  Ｒｅｓｏｕｒｃｅ  Ｂｌｏｃｋ）のグループで構成されてよい。また、接続状態の端末装置２に対して、各コンポーネントキャリアのＢＷＰ（１つまたは複数のＢＷＰ）のパラメータが設定されてよい。各コンポーネントキャリアのＢＷＰのパラメータには、（Ａ）サイクリックプレフィックスの種類、（Ｂ）サブキャリア間隔、（Ｃ）ＢＷＰの周波数位置（例えば、ＢＷＰの低周波数側の開始位置または中央周波数位置）（周波数位置は例えば、ＡＲＦＣＮが用いられてもよいし、サービングセルの特定のサブキャリアからのオフセットが用いられてもよい。また、オフセットの単位はサブキャリア単位であってもよいし、リソースブロック単位でもよい。また、ＡＲＦＣＮとオフセットの両方が設定されるかもしれない。）、（Ｄ）ＢＷＰの帯域幅（例えばＰＲＢ数）、（Ｅ）制御信号のリソース設定情報、（Ｆ）ＳＳブロックの中心周波数位置（周波数位置は例えば、ＡＲＦＣＮが用いられてもよいし、サービングセルの特定のサブキャリアからのオフセットが用いられてもよい。また、オフセットの単位はサブキャリア単位であってもよいし、リソースブロック単位でもよい。また、ＡＲＦＣＮとオフセットの両方が設定されるかもしれない。）、の一部あるいは全部が含まれてよい。また、制御信号のリソース設定情報が、少なくともプライマリセルおよび／またはプライマリセカンダリセルの一部あるいは全部のＢＷＰの設定に含まれてもよい。
【０１０１】
端末装置２は、１つまたは複数の設定されたＢＷＰのうち、アクティブなＢＷＰ（Ａ−ＢＷＰ）において送受信をおこなってよい。また、端末装置２に対して、一つのサービングセルに対して設定された１つまたは複数のＢＷＰのうち、ある時間において、最大で１つの上りリンクＢＷＰと最大で１つの下りリンクＢＷＰとがＡ−ＢＷＰとなるように設定されてもよい。
【０１０２】
初期セルサーチで検出されたＳＳブロックの情報に基づいて設定されるＢＷＰを初期ＢＷＰ、あるいは初期のデフォルトＢＷＰ（Ｄ−ＢＷＰ）と呼称してもよい。Ｄ−ＢＷＰは、ＲＲＣシグナリング（例えばＲＲＣ接続再設定メッセージなど）で設定（または再設定）されてもよい。Ｄ−ＢＷＰを含む複数のＢＷＰを設定された端末装置２は、複数のＢＷＰを切り替えて（Ｓｗｉｔｃｈ）して通信してもよい。例えば、あるタイマーを用いた制御によって、最初のＡ−ＢＷＰであるＤ−ＢＷＰから他のＢＷＰにＡ−ＢＷＰを切り替えて送受信を行い、そのタイマーが満了（Ｅｘｐｉｒｅ）したらＡ−ＢＷＰをＤ−ＢＷＰに戻して（Ｓｗｉｔｃｈして）送受信をおこなってもよい。前記タイマーはＤＲＸ（Ｄｉｓｃｏｎｔｉｎｕｅｄ  ＲＸ）のタイマーと兼用であってもよい。例えば、ＤＲＸのインアクティブタイマーが満了した場合（アクティブ状態からインアクティブ状態に映る場合）にＤ−ＢＷＰに戻るように制御してもよい。また、ＤＲＸのタイマーとは独立したタイマーを用いてもよい。例えば、ＢＷＰの切り替えをトリガとしてスタートするタイマーを用いて、そのタイマーが満了した場合にＤ−ＢＷＰに戻る（Ｓｗｉｔｃｈする）ようにしてもよい。
【０１０３】
また、Ａ−ＢＷＰの切り替え（ＢＷＰのアクティベーションおよび／またはデアクティベーション）は、（Ａ）ＲＲＣシグナリング、および／または（Ｂ）物理層のシグナリング（例えばＤＣＩ）で基地局装置３から端末装置２に通知されてもよい。
【０１０４】
ＳＳブロックについて説明する。ＳＳブロックは、時間領域において、０から３まで番号づけられた４ＯＦＤＭシンボルで構成されてよい。ＳＳブロックは、周波数領域において、２４個の連続するリソースブロックで構成されてよい。ＳＳブロックは、周波数領域において、０から２８７まで低周波数側から順番に番号づけられた連続するサブキャリアで構成されてよい。また、端末装置２は、プライマリ同期信号（ＰＳＳ）を構成するシンボルのシーケンスが、係数（ファクタ）βｓｓによってスケーリングされた電力で、ＳＳブロックのリソースエレメントにマッピングされると想定してよい。また、端末装置２は、セカンダリ同期信号（ＳＳＳ）を構成するシンボルのシーケンスが、係数（ファクタ）βｓｓによってスケーリングされた電力で、ＳＳブロックのリソースエレメントにマッピングされると想定してよい。また、端末装置２は、ＰＢＣＨを構成する複素シンボルのシーケンスが、係数（ファクタ）βＰＢＣＨによってスケーリングされた電力で、ＳＳブロックのリソースエレメントにマッピングされると想定してよい。また、端末装置２は、ＳＳブロックのための復調参照信号（Ｄｅｍｏｄｕｌａｔｉｏｎ  ｒｅｆｅｒｅｎｃｅ  ｓｉｇｎａｌ）を構成する複素シンボルのシーケンスが、係数（ファクタ）βＰＢＣＨ＾ＤＭＲＳによってスケーリングされた電力で、ＳＳブロックのリソースエレメントにマッピングされると想定してよい。ＳＳブロックは、１つのＰＳＳと１つのＳＳＳと１つのＰＢＣＨを含む。同じＳＳブロック内の１つのＰＳＳと１つのＳＳＳと１つのＰＢＣＨは、連続したＯＦＤＭシンボルに配置されてよい。
【０１０５】
また、ＳＳブロックの電力のスケーリングに用いられる係数（ファクタ）は基地局装置３から報知および／または通知されてもよい。また、係数（ファクタ）はＢＷＰ毎に独立した設定であってもよい。
【０１０６】
無線リンク監視（ＲＬＭ：Ｒａｄｉｏ  Ｌｉｎｋ  Ｍｏｎｉｔｏｒｉｎｇ）について説明する。
【０１０７】
ＲＲＣ接続した端末装置２が無線リンク障害（Ｒａｄｉｏ  Ｌｉｎｋ  Ｆａｉｌｕｒｅ）を検出する動作の一例について説明する。
【０１０８】
端末装置２は、在圏する基地局装置３から、サービングセルの物理層問題（Ｐｈｙｓｉ
ｃａｌ  ｌａｙｅｒ  ｐｒｏｂｌｅｍｓ）の検出のためのタイマー（Ｔ３１０）の値（ｔ３１０）、同期外れ（ＯｏＳ：ｏｕｔ-ｏｆ?ｓｙｎｃ）の検出回数の閾値であるＮ３１０、同期中（ＩＳ：ｉｎ?ｓｙｎｃ）の検出回数の閾値であるＮ３１１などの情報を報知情
報やユーザ個別へのＲＲＣメッセージによって取得する。また、前記タイマーの値や回数の閾値はデフォルトの値が設定されてもよい。
【０１０９】
無線リンク監視のために、端末装置２の物理層処理部は、受信した参照信号（例えばＲＬＭ−ＲＳ）の受信電力などの情報に基づき、サービングセルの無線リンク品質が特定の期間（例えばＴＥｖａｌｕａｔｅ＿Ｑｏｕｔ＝２００ｍｓ）を越えて特定の閾値（Ｑｏｕｔ）以下であると推定（ｅｓｔｉｍａｔｅ）されるときに、上位レイヤである無線リソース制御（Ｒａｄｉｏ  Ｒｅｓｏｕｒｃｅ  Ｃｏｎｔｒｏｌ：ＲＲＣ）層処理部に対して「同期外れ（ｏｕｔ−ｏｆ−ｓｙｎｃ）」を通知する。また、物理層処理部は、受信した参照信号の受信電力などの情報に基づき、サービングセルの無線リンク品質が特定の期間（例えばＴＥｖａｌｕａｔｅ＿Ｑｉｎ＝１００ｍｓ）を越えて特定の閾値（Ｑｉｎ）以上であると推定されるときに、上位レイヤである無線リソース制御層処理部に対して「同期中（ｉｎ−ｓｙｎｃ）」を通知する。なお、物理層処理部は、同期外れあるいは同期中の上位レイヤへの通知を特定の間隔（例えばＴＲｅｐｏｒｔ＿ｓｙｎｃ＝１０ｍｓ）以上あけて行うようにしてもよい。
【０１１０】
端末装置２は、基地局装置３からＲＲＣメッセージやその他のシグナリングによって、以下の（Ａ）から（Ｄ）の一部あるいは全部の情報が通知されてもよい。
（Ａ）Ｄ−ＢＷＰのＲＬＭ−ＲＳのリソース情報
（Ｂ）Ｄ−ＢＷＰで用いられるタイマー（例えばＴ３１０）の値や回数の閾値（例えばＮ３１０，Ｎ３１１）の情報
（Ｃ）サービングセル（例えばＰＣｅｌｌおよび／またはＰＳＣｅｌｌ）のＲＬＭ−ＲＳのリソース情報
（Ｄ）サービングセル（例えばＰＣｅｌｌおよび／またはＰＳＣｅｌｌ）で用いられるタイマー（例えばＴ３１０）の値や回数の閾値（例えばＮ３１０，Ｎ３１１）の情報
【０１１１】
ここで、例えば、閾値Ｑｏｕｔは、下りリンクの無線リンクが確実（ｒｅｌｉａｂｌｙ）に受信できず、さらに、既定のパラメータに基づく仮定（ｈｙｐｏｔｈｅｔｉｃａｌ）の下りリンク制御チャネル（ＰＤＣＣＨ）の送信のブロック誤り率（Ｂｌｏｃｋ  ｅｒｒｏｒ  ｒａｔｅ）が１０％となるレベルとして定義されてもよい。また、例えば、閾値Ｑｉｎは、下りリンクの無線リンク品質が著しく（ｓｉｇｎｉｆｉｃａｎｔｌｙ）Ｑｏｕｔの状態よりも確実に受信でき、さらに、既定のパラメータに基づく仮定の下りリンク制御チャネルの送信のブロック誤り率が２％となるレベルとして定義されてもよい。また、使用される周波数やサブキャリア間隔、サービスの種別などに基づき複数のブロック誤り率（閾値Ｑｏｕｔと閾値Ｑｉｎのレベル）が定義されてもよい。
【０１１２】
端末装置２は、サービングセル（例えばＰＣｅｌｌおよび／またはＰＳＣｅｌｌ）において、Ａ−ＢＷＰがＤ−ＢＷＰと異なる場合に、Ｄ−ＢＷＰのＲＬＭ−ＲＳを用いて無線リンク監視を行なってもよい。また、端末装置２は、サービングセル（例えばＰＣｅｌｌおよび／またはＰＳＣｅｌｌ）において、ＢＷＰごとにＲＬＭ−ＲＳが設定され、Ａ−ＢＷＰのＲＬＭ−ＲＳを用いて無線リンク監視を行なってもよい。また、端末装置２は、サービングセル（例えばＰＣｅｌｌおよび／またはＰＳＣｅｌｌ）において、ＢＷＰに依存しないＲＬＭ−ＲＳが設定され、そのＲＬＭ−ＲＳを用いて無線リンク監視を行なってもよい。また、端末装置２の物理層処理部は、サービングセル（例えばＰＣｅｌｌおよび／またはＰＳＣｅｌｌ）において、Ａ−ＢＷＰがＤ−ＢＷＰであるときに発生した同期外れおよび同期中のみを上位レイヤに通知してもよいし、Ａ−ＢＷＰで発生した同期外れおよび同期中のみを上位レイヤに通知してもよい。また、端末装置２の物理層処理部は、サー
ビングセル（例えばＰＣｅｌｌおよび／またはＰＳＣｅｌｌ）において、そのサービングセルで設定されたＲＬＭ−ＲＳのうち少なくとも１つのＲＬＭ−ＲＳを用いた測定が同期中となる条件を満たしている場合には同期中を上位レイヤに通知してもよい。また、端末装置２の物理層処理部は、サービングセル（例えばＰＣｅｌｌおよび／またはＰＳＣｅｌｌ）において、そのサービングセルでＲＬＭのために設定されたＤ−ＢＷＰおよび／またはＡ−ＢＷＰのＲＬＭ−ＲＳのうち少なくとも１つのＲＬＭ−ＲＳを用いた測定が同期中となる条件を満たしている場合には同期中を上位レイヤに通知してもよい。
【０１１３】
プライマリセルにおいて、端末装置２の無線リソース制御層処理部は、物理層処理部から通知される同期外れを既定回数（Ｎ３１０回）連続して受け取った場合にタイマー（Ｔ３１０）の計時を開始（Ｓｔａｒｔ）あるいは再開始（Ｒｅｓｔａｒｔ）してもよい。また、端末装置２の無線リソース層処理部は、既定回数（Ｎ３１１回）連続して同期中を受け取った場合にタイマー（Ｔ３１０）の計時を停止（Ｓｔｏｐ）してもよい。そして、端末装置２の無線リソース制御層処理部は、タイマー（Ｔ３１０）の計時が停止することなく満了（Ｅｘｐｉｒｅ）した場合に、アイドル状態への遷移あるいはＲＲＣ接続の再確立手順を実施するようにしてもよい。例えば、ＡＳ  Ｓｅｃｕｒｉｔｙの確立状態に応じて端末装置２の動作が異なってもよい。まず、ＡＳ  Ｓｅｃｕｒｉｔｙが未確立の場合、端末装置２はＲＲＣ  ＩＤＬＥ状態に遷移し、ＡＳ  Ｓｅｃｕｒｉｔｙが確立済みの場合、端末装置２は、ＲＲＣ接続の再確立（ＲＲＣ  Ｃｏｎｎｅｃｔｉｏｎ  Ｒｅ?ｅｓｔａｂ
ｌｉｓｈｍｅｎｔ）手順を実行する。
【０１１４】
また、プライマリセカンダリセルにおいて、端末装置２の無線リソース制御層処理部は、物理層処理部から通知される同期外れを既定回数（Ｎ３１３回）連続して受け取った場合にタイマー（Ｔ３１３）の計時を開始（Ｓｔａｒｔ）あるいは再開始（Ｒｅｓｔａｒｔ）してもよい。また、端末装置２の無線リソース層処理部は、既定回数（Ｎ３１４回）連続して同期中を受け取った場合にタイマー（Ｔ３１３）の計時を停止（Ｓｔｏｐ）してもよい。そして、端末装置２の無線リソース制御層処理部は、タイマー（Ｔ３１３）の計時が停止することなく満了（Ｅｘｐｉｒｅ）した場合に、ＳＣＧ障害をネットワークに通知するためのＳＣＧ障害情報手順（ＳＣＧ  ｆａｉｌｕｒｅ  ｉｎｆｏｒｍａｔｉｏｎ  ｐｒｏｃｅｄｕｒｅ）を実行する。
【０１１５】
また、端末装置２の無線リソース制御層処理部は、プライマリセルにおいてＤ−ＢＷＰが再設定されるときに、タイマー（Ｔ３１０）の計時を停止（Ｓｔｏｐ）してもよい。また、端末装置２の無線リソース制御層処理部は、プライマリセカンダリセルにおいてＤ−ＢＷＰが再設定されるときに、タイマー（Ｔ３１３）の計時を停止（Ｓｔｏｐ）してもよい。
【０１１６】
上記は端末装置２にＤＲＸが設定されていない場合の例であるが、端末装置２にＤＲＸが設定されている場合、端末装置２の無線リソース制御層処理部は、無線リンク品質を測定する期間や上位レイヤへの通知間隔をＤＲＸが設定されていない場合と異なる値をとるように物理層処理部に対して設定してもよい。なお、ＤＲＸが設定されている場合であっても、上記タイマー（Ｔ３１０、Ｔ３１３）の計時が行われているときには、同期中を推定するための無線リンク品質を測定する期間や上位レイヤへの通知間隔を、ＤＲＸが設定されていない場合の値としてもよい。
【０１１７】
また、ＲＬＭ−ＲＳは明示的にあるいは暗示的にネットワークから設定されない場合には未定義であってもよい。すなわち、端末装置２は、ネットワーク（例えば基地局装置３）からＲＬＭ−ＲＳの設定がなされない場合には無線リンク監視をしなくてもよい。
【０１１８】
ＲＬＭ−ＲＳは、無線リンク監視で用いられる参照信号であり、複数のＲＬＭ−ＲＳが
端末装置２に設定されてよい。１つのＲＬＭ−ＲＳのリソースは、１つのＳＳブロックまたは１つのＣＳＩ−ＲＳのリソース（またはポート）であってよい。ＣＳＩ−ＲＳベースの無線リンク監視を行う場合には、ＲＬＭ−ＲＳのリソースは端末装置２毎に設定されたリソースが用いられてよい。端末装置２毎に設定されたＲＬＭ−ＲＳのリソースはさらにＢＷＰ毎に設定されるかもしれない。ＳＳブロックベースの無線リンク監視を行う場合には、ＳＳブロックはサービングセル毎に設定されてもよいし、ＢＷＰごとに設定されてもよいし、端末装置２ごとに設定されてもよい。ＳＳブロックベースの無線リンク監視を行う場合には、端末装置２は、ＳＳブロックに含まれるＰＳＳおよび／またはＳＳＳおよび／またはＳＳブロックの復調のための復調参照信号（ＤＭＲＳ）、および／またはＰＢＣＨを用いて無線リンク監視を行なってもよい。
【０１１９】
また、ＲＬＭ−ＲＳの設定にＲＬＭ−ＲＳの周波数位置を指定するパラメータが含まれてよい。周波数位置を指定するパラメータとして、ＡＲＦＣＮが用いられてもよいし、サービングセルの特定のサブキャリアからのオフセットが用いられてもよい。また、オフセットの単位はサブキャリア単位であってもよいし、リソースブロック単位でもよい。また、ＡＲＦＣＮとオフセットの両方が設定されるかもしれない。
【０１２０】
また、ＲＬＭ−ＲＳの測定を行うタイミングを指定するパラメータとして、ＲＬＭ−ＲＳ測定タイミング設定（ＲＭＴＣ：ＲＬＭ−ＲＳ  ｂａｓｅｄ  Ｍｅａｓｕｒｅｍｅｎｔ
Ｔｉｍｉｎｇ  Ｃｏｎｆｉｇｕｒａｔｉｏｎ）が端末装置２に設定されてもよい。ＲＭＴＣはＲＬＭ−ＲＳ毎あるいはＲＬＭ−ＲＳのグループ毎に独立して設定されてもよい。端末装置２は、ネットワーク（例えば基地局装置３）からＲＭＴＣの設定がなされない場合には無線リンク監視をしないかもしれない。
【０１２１】
端末装置２は、あるタイマー（例えば前記Ｔ３１３）が満了した場合、または。ＳＣＧのＭＡＣ層からランダムアクセス問題の通知があった場合、またはＳＣＧのＲＬＣ層がＳＣＧにおける再送回数が、最大再送回数に達した場合などにおいて、無線リンク障害をＳＣＧで検出したと判断してよい。無線リンク障害をＳＣＧで検出した端末装置２は、ＳＣＧ障害情報手順を開始（Ｉｎｉｔｉａｔｅ）してよい。
【０１２２】
ＳＣＧ障害情報手順について説明する。
【０１２３】
ＳＣＧ障害情報手順は、端末装置２が経験したＳＣＧ障害についてネットワークに通知するプロシージャである。例えば、ＳＣＧ無線リンク障害やＳＣＧ変更の失敗時などにこの手順が行われる。
【０１２４】
端末装置２は、ＳＣＧでの送信がサスペンドされておらず、（Ａ）ＳＣＧで無線リンク障害を検出した、または（Ｂ）ＳＣＧ変更が失敗した場合、すべてのＳＣＧ  ＤＲＢの送信をサスペンドして、ＳＣＧのＭＡＣ機能をリセットして、ＳＣＧ障害情報メッセージの送信を開始してもよい。
【０１２５】
端末装置２は、ＳＣＧ障害情報メッセージのコンテンツを以下のようにセットしてもよい。
【０１２６】
もし、ＳＣＧ無線リンク障害の情報を提供するためにＳＣＧ障害情報メッセージの送信を開始する場合、障害種別（ＦａｉｌｕｒｅＴｙｐｅ）としてＳＣＧ無線リンク障害の検出によるトリガを設定してよい。また、もし、ＳＣＧ変更失敗の情報を提供するためにＳＣＧ障害情報メッセージの送信を開始する場合、障害種別（ＦａｉｌｕｒｅＴｙｐｅ）としてＳＣＧ変更失敗を設定してよい。
【０１２７】
ＳＣＧ障害情報メッセージに含まれるサービング周波数測定結果リスト（ｍｅａｓＲｅｓｕｌｔＳｅｒｖＦｒｅｑＬｉｓｔ）に、ＳＣＧの各サービングセル（ＰＳＣｅｌｌを含むまたは含まないＳＣｅｌｌ）の測定結果を含めてもよい。測定結果の数量（Ｑｕａｎｔｉｔｙ）はＲＳＲＰおよび／またはＲＳＲＱおよび／またはＳＩＮＲであってもよい。メッセージに含まれる測定結果は測定された数量の範囲（Ｒａｎｇｅ）を示す情報であってよい。
【０１２８】
サービング周波数測定結果リストに含まれるＳＣＧのサービング周波数のそれぞれに対して、最良の隣接セルの物理セル識別子を含めてもよい。また、前記隣接セルの測定結果の数量を含めてもよい。測定結果の数量（Ｑｕａｎｔｉｔｙ）はＲＳＲＰであってもよい。あるいは干渉を測定するためのリソースが設定されている場合などでは、測定結果の数量（Ｑｕａｎｔｉｔｙ）はＲＳＲＱおよび／またはＳＩＮＲであってもよい。メッセージに含まれる測定結果は測定された数量の範囲（Ｒａｎｇｅ）を示す情報であってよい。
【０１２９】
ＳＣＧ障害情報メッセージに含まれる隣接周波数測定結果リスト（ｍｅａｓＲｅｓｕｌｔＮｅｉｇｈＣｅｌｌｓ）に、ＳＣＧの各サービングセルの周波数以外の周波数で測定された隣接セルの物理セル識別子を含めてもよい。また前記隣接セルの測定結果の数量を含めてもよい。測定結果の数量（Ｑｕａｎｔｉｔｙ）はＲＳＲＰであってもよい。あるいは干渉を測定するためのリソースが設定されている場合などでは、測定結果の数量（Ｑｕａｎｔｉｔｙ）はＲＳＲＱおよび／またはＳＩＮＲであってもよい。メッセージに含まれる測定結果は測定された数量の範囲（Ｒａｎｇｅ）を示す情報であってよい。隣接セルが複数ある場合には測定結果が最良のセルから順番にリスト化されたものが隣接周波数測定結果リストに含まれてもよい。
【０１３０】
隣接周波数測定結果リストには、端末装置２に対して設定された（後述する）測定の測定結果が存在している（Ａｖａｉｌａｂｌｅ）場合にその測定結果を含めてもよい。
【０１３１】
コンテンツをセットした端末装置２の無線リソース制御層処理部は、コンテンツを含むＲＲＣメッセージを生成して、生成したＲＲＣメッセージを送信するために下位レイヤにサブミットしてよい。このとき、ＭＣＧがＮＲである場合には、生成するＲＲＣメッセージはＮＲのＲＲＣメッセージでよい。また、ＭＣＧがＬＴＥである場合には、生成されるＲＲＣメッセージはＬＴＥのメッセージであってもよいし、ＬＴＥのＲＲＣメッセージにＮＲのコンテンツがバイト列（Ｏｃｔｅｄ  Ｓｔｒｉｎｇ）としてエンカプセル化されて含まれてもよい。
【０１３２】
ＳＣＧの各サービングセルの測定結果は、ＢＷＰが設定されていない場合には、サービングセル内のある周波数にあるＳＳブロックに基づき導出されてもよい。サービングセル内のある周波数とは、セルサーチにおいてこのサービングセルの検出に用いられたＳＳブロックのある周波数であってもよいし、ハンドオーバのためのＲＲＣ層のメッセージによって通知されたＳＳブロックのある周波数であってもよいし、ＲＬＭ−ＲＳとしてＲＲＣ層のメッセージによって設定されたＳＳブロックのある周波数であってもよい。また、ＳＳブロックはビーム毎に複数あってもよい。端末装置２は、前記周波数にあるサービングセルのＳＳブロック（ビーム毎に複数ある場合にはそれらのＳＳブロック）のＲＳＲＰおよび／またはＲＳＲＱおよび／またはＳＩＮＲに基づきサービングセルの測定結果を導出してもよい。
【０１３３】
また、ＳＣＧの各サービングセルの測定結果は、１つまたは複数のＢＷＰが設定されている場合には、Ｄ−ＢＷＰのＳＳブロックに基づき導出されてもよいし、Ａ−ＢＷＰのＳＳブロックに基づき導出されてもよいし、測定設定で設定されるＳＳブロックに基づき導出されてもよいし、端末装置２に設定されたＲＬＭ−ＲＳに基づき導出されてもよい。ま
た、ＢＷＰ毎のＳＳブロックは、さらにビーム毎に複数あってもよい。端末装置２は、各ＢＷＰと対応付けられたＳＳブロック（ビーム毎に複数ある場合にはそれらのＳＳブロック）のＲＳＲＰおよび／またはＲＳＲＱおよび／またはＳＩＮＲに基づきサービングセルの測定結果を導出してもよい。ＳＳブロックを用いる測定は、ＳＳブロックに含まれるＰＳＳおよび／またはＳＳＳを用いた測定であってよい。また、ＳＳブロックの代わりにＣＳＩ−ＲＳが測定に用いられてもよい。測定にＳＳブロックを用いるかＣＳＩ−ＲＳを用いるかはネットワークから設定されてよい。
【０１３４】
サービング周波数測定結果リストには、設定されたＢＷＰ毎の測定結果が含まれてもよい。各ＢＷＰの測定結果を識別するために、各ＢＷＰの測定結果とともに、ＢＷＰの識別子が含まれてもよいし、各ＢＷＰの周波数情報（例えばＡＲＦＣＮや、サービングセルの特定のサブキャリアからのオフセット）が含まれてもよい。各ＢＷＰの周波数情報がサービングセルの特定のサブキャリアからのオフセットである場合には、オフセットはサブキャリア単位でもよいし、ＲＢ（リソースブロック）単位でもよい。各ＢＷＰの測定結果にはさらにビーム毎の測定結果が含まれてもよい。あるいは、ビーム毎の測定結果にＢＷＰを識別可能な情報が含まれてもよい。あるいは、ＢＷＰを識別せず、すべてビーム毎の測定結果としてサービング周波数測定結果リストに測定結果を含めてもよい。
【０１３５】
測定（ｍｅａｓｕｒｅｍｅｎｔ）について説明する。
【０１３６】
ＮＲの測定（ｍｅａｓｕｒｅｍｅｎｔ）は、ＬＴＥと同等の測定設定および測定報告の仕組みが用いられてもよい。例えば、ＮＲの測定設定（Ｍｅａｓｕｒｅｍｅｎｔ  ｃｏｎｆｉｇｕｒａｔｉｏｎ）メッセージに、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれてよい。
【０１３７】
また、測定対象ＮＲ（ｍｅａｓＯｂｊｅｃｔＮＲ）には、ＮＲ搬送波周波数情報（ｅｕｔｒａ−ＣａｒｒｉｅｒＩｎｆｏ）、測定帯域幅（ｍｅａｓｕｒｅｍｅｎｔＢａｎｄｗｉｄｔｈ）、オフセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ  ｌｉｓｔ）に関する情報の一部あるいは全部が含まれてよい。
【０１３８】
また、報告設定ＮＲ（ｒｅｐｏｒｔＣｏｎｆｉｇＮＲ）にはイベントトリガ報告に関する情報が含まれてよい。イベントトリガ条件として、ＬＴＥのイベントＡ１からＡ６と同等のイベントが含まれてよい。
【０１３９】
以下にＮＲの測定（ｍｅａｓｕｒｅｍｅｎｔ）の一例を示す。なお、メッセージに含まれる情報および／またはメッセージの構造は一例であり、これに限定されるものではない。
【０１４０】
基地局装置３は、端末装置２に対して、ＲＲＣシグナリング（無線リソース制御信号）であるＲＲＣ接続再設定（ＲＲＣＣｏｎｎｅｃｔｉｏｎＲｅｃｏｎｆｉｇｕｒａｔｉｏｎ）メッセージを使って、測定設定（Ｍｅａｓｕｒｅｍｅｎｔ  ｃｏｎｆｉｇｕｒａｔｉｏｎ）メッセージを送信する。端末装置２は、測定設定（Ｍｅａｓｕｒｅｍｅｎｔ  ｃｏｎｆｉｇｕｒａｔｉｏｎ）メッセージに含まれるシステム情報を設定するとともに、通知されたシステム情報に従って、サービングセルおよび隣接セル（リストセル（ｌｉｓｔｅｄ
ｃｅｌｌ）および／または検出セル（ｄｅｔｅｃｔｅｄ  ｃｅｌｌ）を含む）に対する測定、イベント評価、測定報告を行う。リストセルは、測定対象（Ｍｅａｓｕｒｅｍｅｎ
ｔ  ｏｂｊｅｃｔ）にリストされているセル（基地局装置３から端末装置２へ隣接セルリストとして通知されているセル）であり、検出セルは、測定対象（Ｍｅａｓｕｒｅｍｅｎｔ  ｏｂｊｅｃｔ）によって指示された周波数において端末装置２が検出したが、測定対象（Ｍｅａｓｕｒｅｍｅｎｔ  ｏｂｊｅｃｔ）にはリストされていないセル（隣接セルリストとして通知されていない端末装置２自身が検出したセル）である。
【０１４１】
測定（ｍｅａｓｕｒｅｍｅｎｔ）には、３つのタイプ（周波数内測定（ｉｎｔｒａ−ｆｒｅｑｕｅｎｃｙ  ｍｅａｓｕｒｅｍｅｎｔｓ）、周波数間測定（ｉｎｔｅｒ−ｆｒｅｑｕｅｎｃｙ  ｍｅａｓｕｒｅｍｅｎｔｓ）、無線アクセス技術間測定（ｉｎｔｅｒ−ＲＡＴ  ｍｅａｓｕｒｅｍｅｎｔｓ））がある。周波数内測定（ｉｎｔｒａ−ｆｒｅｑｕｅｎｃｙ  ｍｅａｓｕｒｅｍｅｎｔｓ）は、サービングセルの下りリンク周波数（下りリンク周波数）での測定である。周波数間測定（ｉｎｔｅｒ−ｆｒｅｑｕｅｎｃｙ  ｍｅａｓｕｒｅｍｅｎｔｓ）は、サービングセルの下りリンク周波数とは異なる周波数での測定である。無線アクセス技術間測定（ｉｎｔｅｒ−ＲＡＴ  ｍｅａｓｕｒｅｍｅｎｔｓ）は、サービングセルの無線技術（例えばＮＲ）とは異なる無線技術（例えばＥＵＴＲＡ、ＵＴＲＡ、ＧＥＲＡＮ，ＣＤＭＡ２０００など）での測定である。
【０１４２】
測定設定（Ｍｅａｓｕｒｅｍｅｎｔ  ｃｏｎｆｉｇｕｒａｔｉｏｎ）メッセージには、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の設定の追加および／または修正および／または削除、数量設定（ｑｕａｎｔｉｔｙＣｏｎｆｉｇ）、測定ギャップ設定（ｍｅａｓＧａｐＣｏｎｆｉｇ）、サービングセル品質閾値（ｓ−Ｍｅａｓｕｒｅ）などが含まれる。
【０１４３】
＜数量設定（ｑｕａｎｔｉｔｙＣｏｎｆｉｇ）＞
数量設定（ｑｕａｎｔｉｔｙＣｏｎｆｉｇ）は、測定対象（Ｍｅａｓｕｒｅｍｅｎｔ  ｏｂｊｅｃｔｓ）がＮＲまたはＥＵＴＲＡの場合、第３層フィルタ係数（Ｌ３  ｆｉｌｔｅｒｉｎｇ  ｃｏｅｆｆｉｃｉｅｎｔ）を指定してもよい。第３層フィルタ係数（Ｌ３  ｆｉｌｔｅｒｉｎｇ  ｃｏｅｆｆｉｃｉｅｎｔ）は、最新の測定結果と、過去のフィルタリング測定結果との比（割合）を規定する。フィルタリング結果は、端末装置２でイベント評価に利用される。
【０１４４】
＜測定ギャップ設定（ｍｅａｓＧａｐＣｏｎｆｉｇ）＞
測定ギャップ設定（ｍｅａｓＧａｐＣｏｎｆｉｇ）は、測定ギャップパターン（ｍｅａｓｕｒｅｍｅｎｔ  ｇａｐ  ｐａｔｔｅｒｎ）の設定や、測定ギャップ（ｍｅａｓｕｒｅｍｅｎｔ  ｇａｐ）の活性化（ａｃｔｉｖａｔｉｏｎ）／非活性化（ｄｅａｃｔｉｖａｔｉｏｎ）を制御するために利用される。測定ギャップ設定（ｍｅａｓＧａｐＣｏｎｆｉｇ）では、測定ギャップを活性化させる場合の情報として、ギャップパターン（ｇａｐ  ｐａｔｔｅｒｎ）、開始システムフレ−ム番号（ｓｔａｒｔＳＦＮ）、開始サブフレ−ム番号（ｓｔａｒｔＳｕｂｆｒａｍｅＮｕｍｂｅｒ）が通知される。ギャップパターン（ｇａｐ  ｐａｔｔｅｒｎ）は、測定ギャップ（ｍｅａｓｕｒｅｍｅｎｔ  ｇａｐ）として、どのパターンを使うかを規定する。開始システムフレ−ム番号（ｓｔａｒｔＳＦＮ）は、測定ギャップ（ｍｅａｓｕｒｅｍｅｎｔ  ｇａｐ）を開始するＳＦＮ（Ｓｙｓｔｅｍ  Ｆｒａｍｅ  Ｎｕｍｂｅｒ）を規定する。開始サブフレ−ム番号（ｓｔａｒｔＳｕｂｆｒａｍｅＮｕｍｂｅｒ）は、測定ギャップ（ｍｅａｓｕｒｅｍｅｎｔ  ｇａｐ）を開始するサブフレ−ム番号を規定する。また、測定ギャップ設定はセル毎あるいはセルグループ毎あるいはＢＷＰ毎あるいはＲＬＭ−ＲＳ毎に独立して設定されてもよい。
【０１４５】
＜サービングセル品質閾値（ｓ−Ｍｅａｓｕｒｅ）＞
サービングセル品質閾値（ｓ−Ｍｅａｓｕｒｅ）は、サービングセルの品質に関する閾
値を表し、端末装置２が測定（ｍｅａｓｕｒｅｍｅｎｔ）を行う必要があるか否かを制御するために利用される。サービングセル品質閾値（ｓ−Ｍｅａｓｕｒｅ）は、参照信号受信電力（ＲＳＲＰ）に対する値として設定される。
【０１４６】
＜測定識別子（ｍｅａｓＩｄ）＞
ここで、測定識別子（ｍｅａｓＩｄ）は、測定対象（Ｍｅａｓｕｒｅｍｅｎｔ  ｏｂｊｅｃｔｓ）と、報告設定（Ｒｅｐｏｒｔｉｎｇ  ｃｏｎｆｉｇｕｒａｔｉｏｎｓ）とをリンクさせるために利用され、具体的には、測定対象識別子（ｍｅａｓＯｂｊｅｃｔＩｄ）と報告設定識別子（ｒｅｐｏｒｔＣｏｎｆｉｇＩｄ）とをリンクさせる。測定識別子（ｍｅａｓＩｄ）には、一つの測定対象識別子（ｍｅａｓＯｂｊｅｃｔＩｄ）と一つの報告設定識別子（ｒｅｐｏｒｔＣｏｎｆｉｇＩｄ）が対応付けられる。測定設定（Ｍｅａｓｕｒｅｍｅｎｔ  ｃｏｎｆｉｇｕｒａｔｉｏｎ）メッセージは、測定識別子（ｍｅａｓＩｄ）、測定対象（Ｍｅａｓｕｒｅｍｅｎｔ  ｏｂｊｅｃｔｓ）、報告設定（Ｒｅｐｏｒｔｉｎｇ  ｃｏｎｆｉｇｕｒａｔｉｏｎｓ）の関係に対して追加・修正・削除することが可能である。
【０１４７】
ｍｅａｓＯｂｊｅｃｔＴｏＲｅｍｏｖｅＬｉｓｔは、指定された測定対象識別子（ｍｅａｓＯｂｊｅｃｔＩｄ）および指定された測定対象識別子（ｍｅａｓＯｂｊｅｃｔＩｄ）に対応する測定対象（Ｍｅａｓｕｒｅｍｅｎｔ  ｏｂｊｅｃｔｓ）を削除するコマンドである。この際、指定された測定対象識別子（ｍｅａｓＯｂｊｅｃｔＩｄ）に対応付けられたすべての測定識別子（ｍｅａｓＩｄ）は、削除される。このコマンドは、同時に複数の測定対象識別子（ｍｅａｓＯｂｊｅｃｔＩｄ）の指定が可能である。
【０１４８】
ｍｅａｓＯｂｊｅｃｔＴｏＡｄｄＭｏｄｉｆｙＬｉｓｔは、指定された測定対象識別子（ｍｅａｓＯｂｊｅｃｔＩｄ）を指定された測定対象（Ｍｅａｓｕｒｅｍｅｎｔ  ｏｂｊｅｃｔｓ）に修正、または、指定された測定対象識別子（ｍｅａｓＯｂｊｅｃｔＩｄ）と指定された測定対象（Ｍｅａｓｕｒｅｍｅｎｔ  ｏｂｊｅｃｔｓ）を追加するコマンドである。このコマンドは、同時に複数の測定対象識別子（ｍｅａｓＯｂｊｅｃｔＩｄ）の指定が可能である。
【０１４９】
ｒｅｐｏｒｔＣｏｎｆｉｇＴｏＲｅｍｏｖｅＬｉｓｔは、指定された報告設定識別子（ｒｅｐｏｒｔＣｏｎｆｉｇＩｄ）および指定された報告設定識別子（ｒｅｐｏｒｔＣｏｎｆｉｇＩｄ）に対応する報告設定（Ｒｅｐｏｒｔｉｎｇ  ｃｏｎｆｉｇｕｒａｔｉｏｎｓ）を削除するコマンドである。この際、指定された報告設定識別子（ｒｅｐｏｒｔＣｏｎｆｉｇＩｄ）に対応付けられたすべての測定識別子（ｍｅａｓＩｄ）は、削除される。このコマンドは、同時に複数の報告設定識別子（ｒｅｐｏｒｔＣｏｎｆｉｇＩｄ）の指定が可能である。
【０１５０】
ｒｅｐｏｒｔＣｏｎｆｉｇＴｏＡｄｄＭｏｄｉｆｙＬｉｓｔは、指定された報告設定識別子（ｒｅｐｏｒｔＣｏｎｆｉｇＩｄ）を指定された報告設定（Ｒｅｐｏｒｔｉｎｇ  ｃｏｎｆｉｇｕｒａｔｉｏｎｓ）に修正、または、指定された報告設定識別子（ｒｅｐｏｒｔＣｏｎｆｉｇＩｄ）と指定された報告設定（Ｒｅｐｏｒｔｉｎｇ  ｃｏｎｆｉｇｕｒａｔｉｏｎｓ）を追加するコマンドである。このコマンドは、同時に複数の報告設定識別子（ｒｅｐｏｒｔＣｏｎｆｉｇＩｄ）の指定が可能である。
【０１５１】
ｍｅａｓＩｄＴｏＲｅｍｏｖｅＬｉｓｔは、指定された測定識別子（ｍｅａｓＩｄ）を削除するコマンドである。この際、指定された測定識別子（ｍｅａｓＩｄ）に対応付けられた測定対象識別子（ｍｅａｓＯｂｊｅｃｔＩｄ）と報告設定識別子（ｒｅｐｏｒｔＣｏｎｆｉｇＩｄ）は、削除されずに維持される。このコマンドは、同時に複数の測定識別子（ｍｅａｓＩｄ）の指定が可能である。
【０１５２】
ｍｅａｓＩｄＴｏＡｄｄＭｏｄｉｆｙＬｉｓｔは、指定された測定識別子（ｍｅａｓＩｄ）を指定された測定対象識別子（ｍｅａｓＯｂｊｅｃｔＩｄ）と指定された報告設定識別子（ｒｅｐｏｒｔＣｏｎｆｉｇＩｄ）に対応付けるように修正、または、指定された測定対象識別子（ｍｅａｓＯｂｊｅｃｔＩｄ）と指定された報告設定識別子（ｒｅｐｏｒｔＣｏｎｆｉｇＩｄ）を指定された測定識別子（ｍｅａｓＩｄ）に対応付けし、指定された測定識別子（ｍｅａｓＩｄ）を追加するコマンドである。このコマンドは、同時に複数の測定識別子（ｍｅａｓＩｄ）の指定が可能である。
【０１５３】
＜測定対象（Ｍｅａｓｕｒｅｍｅｎｔ  ｏｂｊｅｃｔｓ）＞
測定対象（Ｍｅａｓｕｒｅｍｅｎｔ  ｏｂｊｅｃｔｓ）は、ＲＡＴおよび周波数ごとに規定されている。また、報告設定（Ｒｅｐｏｒｔｉｎｇ  ｃｏｎｆｉｇｕｒａｔｉｏｎｓ）は、ＮＲに対する規定と、ＮＲ以外のＲＡＴに対する規定がある。
【０１５４】
測定対象（Ｍｅａｓｕｒｅｍｅｎｔ  ｏｂｊｅｃｔｓ）には、測定対象識別子（ｍｅａｓＯｂｊｅｃｔＩｄ）と対応付けられた測定対象ＮＲ（ｍｅａｓＯｂｊｅｃｔＮＲ）、測定対象ＥＵＴＲＡ（ｍｅａｓＯｂｊｅｃｔＥＵＴＲＡ）、測定対象ＵＴＲＡ（ｍｅａｓＯｂｊｅｃｔＵＴＲＡ）、測定対象ＧＥＲＡＮ（ｍｅａｓＯｂｊｅｃｔＧＥＲＡＮ）、測定対象ＣＤＭＡ２０００（ｍｅａｓＯｂｊｅｃｔＣＤＭＡ２０００）、測定対象ＷＬＡＮ（ｍｅａｓＯｂｊｅｃｔＷＬＡＮ）などが含まれる。
【０１５５】
測定対象識別子（ｍｅａｓＯｂｊｅｃｔＩｄ）は、測定対象（Ｍｅａｓｕｒｅｍｅｎｔ
ｏｂｊｅｃｔｓ）の設定を識別するために使用する識別子である。測定対象（Ｍｅａｓｕｒｅｍｅｎｔ  ｏｂｊｅｃｔｓ）の設定は、前述のように、無線アクセス技術（ＲＡＴ）および周波数ごとに規定されている。測定対象（Ｍｅａｓｕｒｅｍｅｎｔ  ｏｂｊｅｃｔｓ）は、ＮＲ、ＥＵＴＲＡ、ＵＴＲＡ、ＧＥＲＡＮ、ＣＤＭＡ２０００に対して別途仕様化されている。ＮＲに対する測定対象（Ｍｅａｓｕｒｅｍｅｎｔ  ｏｂｊｅｃｔｓ）である測定対象ＮＲ（ｍｅａｓＯｂｊｅｃｔＮＲ）は、ＮＲの隣接セルに対して適用される情報を規定する。また、測定対象ＮＲ（ｍｅａｓＯｂｊｅｃｔＮＲ）のなかで異なる周波数のものは異なる測定対象（Ｍｅａｓｕｒｅｍｅｎｔ  ｏｂｊｅｃｔｓ）として扱われ、別途測定対象識別子（ｍｅａｓＯｂｊｅｃｔＩｄ）が割り当てられる。
【０１５６】
測定対象ＮＲ（ｍｅａｓＯｂｊｅｃｔＮＲ）には、ＮＲ搬送波周波数情報（ｎｒ−ＣａｒｒｉｅｒＩｎｆｏ）、測定帯域幅（ｍｅａｓｕｒｅｍｅｎｔＢａｎｄｗｉｄｔｈ）、オフセット周波数（ｏｆｆｓｅｔＦｒｅｑ）、隣接セルリスト（ｎｅｉｇｈｂｏｕｒ  ｃｅｌｌ  ｌｉｓｔ）に関する情報、ブラックリスト（ｂｌａｃｋ  ｌｉｓｔ）に関する情報の一部あるいは全部が含まれてよい。
【０１５７】
次に、測定対象ＮＲ（ｍｅａｓＯｂｊｅｃｔＮＲ）に含まれる情報ついて説明する。ＮＲ搬送波周波数情報（ｎｒ−ＣａｒｒｉｅｒＩｎｆｏ）は、測定対象とする搬送波周波数を指定する。測定帯域幅（ｍｅａｓｕｒｅｍｅｎｔＢａｎｄｗｉｄｔｈ）は、測定対象とする搬送波周波数で動作する全ての隣接セル共通な測定帯域幅を示す。オフセット周波数（ｏｆｆｓｅｔＦｒｅｑ）は、測定対象とする周波数において適用される測定オフセット値を示す。
【０１５８】
隣接セルリスト（ｎｅｉｇｈｂｏｕｒ  ｃｅｌｌ  ｌｉｓｔ）に関する情報は、イベント評価や、測定報告の対象となる隣接セルに関する情報を含む。隣接セルリスト（ｎｅｉｇｈｂｏｕｒ  ｃｅｌｌ  ｌｉｓｔ）に関する情報としては、物理セル識別子（ｐｈｙｓｉｃａｌ  ｃｅｌｌ  ＩＤ）や、セル固有オフセット（ｃｅｌｌＩｎｄｉｖｉｄｕａｌＯｆｆｓｅｔ、隣接セルに対して適用する測定オフセット値を示す）などが含まれている。
この情報は、ＮＲの場合、端末装置２が、既に、報知情報（報知されるシステム情報）から既に取得している隣接セルリスト（ｎｅｉｇｈｂｏｕｒ  ｃｅｌｌ  ｌｉｓｔ）に対して、追加・修正または削除を行うための情報として利用されてよい。
【０１５９】
また、ブラックリスト（ｂｌａｃｋ  ｌｉｓｔ）に関する情報は、イベント評価や、測定報告の対象とならない隣接セルに関する情報を含む。ブラックリスト（ｂｌａｃｋ  ｌｉｓｔ）に関する情報としては、物理セル識別子（ｐｈｙｓｉｃａｌ  ｃｅｌｌ  ＩＤ）などが含まれる。この情報は、ＮＲの場合、端末装置２が、既に、報知情報から取得しているブラックセルリスト（ｂｌａｃｋ  ｌｉｓｔｅｄ  ｃｅｌｌ  ｌｉｓｔ）に対して、追加・修正または削除を行うための情報として利用されてよい。
【０１６０】
また、測定設定メッセージには、測定に用いられるＰＣｅｌｌおよび／またはＳＣｅｌｌのＢＷＰに関する情報が含まれてもよい。ＢＷＰに関する情報には、（Ａ）サイクリックプレフィックスの種類、（Ｂ）サブキャリア間隔、（Ｃ）周波数位置（例えばサービングセルの、ある基準となるポイント（例えばサブキャリア）からＢＷＰまでの周波数オフセット（例えばサブキャリア単位および／またはＰＲＢ単位））、（Ｄ）ＢＷＰの帯域幅（例えばＰＲＢ数）、（Ｅ）制御信号のリソース設定情報、（Ｆ）各ＢＷＰを識別するための情報（例えば識別子）、の一部あるいは全部が含まれてもよい。また、ＢＷＰに関する情報は、ＳＳブロックおよび／またはＣＳＩ−ＲＳのリソースに関する情報であってもよい。ＢＷＰに関する情報は測定設定メッセージ以外のメッセージ（例えばＲＲＣ接続再設定メッセージ）で通知されてもよい。
【０１６１】
＜報告設定（Ｒｅｐｏｒｔｉｎｇ  ｃｏｎｆｉｇｕｒａｔｉｏｎｓ）＞
報告設定（Ｒｅｐｏｒｔｉｎｇ  ｃｏｎｆｉｇｕｒａｔｉｏｎｓ）には、報告設定識別子（ｒｅｐｏｒｔＣｏｎｆｉｇＩｄ）と対応付けられた報告設定ＮＲ（ｒｅｐｏｒｔＣｏｎｆｉｇＮＲ）などが含まれる。
【０１６２】
報告設定識別子（ｒｅｐｏｒｔＣｏｎｆｉｇＩｄ）は、測定に関する報告設定（Ｒｅｐｏｒｔｉｎｇ  ｃｏｎｆｉｇｕｒａｔｉｏｎｓ）を識別するために使用する識別子である。測定に関する報告設定（Ｒｅｐｏｒｔｉｎｇ  ｃｏｎｆｉｇｕｒａｔｉｏｎｓ）は、前述のように、ＮＲに対する規定と、ＮＲ以外のＲＡＴ（ＥＵＴＲＡ、ＵＴＲＡ、ＧＥＲＡＮ、ＣＤＭＡ２０００）に対する規定がある。ＮＲに対する報告設定（Ｒｅｐｏｒｔｉｎｇ  ｃｏｎｆｉｇｕｒａｔｉｏｎｓ）である報告設定ＮＲ（ｒｅｐｏｒｔＣｏｎｆｉｇＮＲ）は、ＮＲにおける測定の報告に利用するイベントのトリガ条件（ｔｒｉｇｇｅｒｉｎｇ  ｃｒｉｔｅｒｉａ）を規定する。
【０１６３】
また、報告設定ＮＲ（ｒｅｐｏｒｔＣｏｎｆｉｇＮＲ）には、イベント識別子（ｅｖｅｎｔＩｄ）、トリガ量（ｔｒｉｇｇｅｒＱｕａｎｔｉｔｙ）、ヒステリシス（ｈｙｓｔｅｒｅｓｉｓ）、トリガ時間（ｔｉｍｅＴｏＴｒｉｇｇｅｒ）、報告量（ｒｅｐｏｒｔＱｕａｎｔｉｔｙ）、最大報告セル数（ｍａｘＲｅｐｏｒｔＣｅｌｌｓ）、報告間隔（ｒｅｐｏｒｔＩｎｔｅｒｖａｌ）、報告回数（ｒｅｐｏｒｔＡｍｏｕｎｔ）の一部あるいは全部が含まれてよい。
【０１６４】
次に、報告設定ＮＲ（ｒｅｐｏｒｔＣｏｎｆｉｇＮＲ）について説明する。イベント識別子（ｅｖｅｎｔＩｄ）は、イベントトリガ報告（ｅｖｅｎｔ  ｔｒｉｇｇｅｒｅｄ  ｒｅｐｏｒｔｉｎｇ）に関する条件（ｃｒｉｔｅｒｉａ）を選択するために利用される。ここで、イベントトリガ報告（ｅｖｅｎｔ  ｔｒｉｇｇｅｒｅｄ  ｒｅｐｏｒｔｉｎｇ）とは、イベントトリガ条件を満たした場合に、測定を報告する方法である。この他に、イベントトリガ条件を満たした場合に、一定間隔で、ある回数だけ測定を報告するというイベントトリガ定期報告（ｅｖｅｎｔ  ｔｒｉｇｇｅｒｅｄ  ｐｅｒｉｏｄｉｃ  ｒｅｐｏｒ
ｔｉｎｇ）もある。
【０１６５】
イベントトリガ条件としては、後述の６種類が少なくとも規定されてよい。イベント識別子（ｅｖｅｎｔＩｄ）によって指定されたイベントトリガ条件を満たした場合、端末装置２は、基地局装置３に対して、測定報告（ｍｅａｓｕｒｅｍｅｎｔ  ｒｅｐｏｒｔ）を行う。トリガ量（ｔｒｉｇｇｅｒＱｕａｎｔｉｔｙ）は、イベントトリガ条件を評価するために利用する量である。すなわち、参照信号受信電力（ＲＳＲＰ）、または、参照信号受信品質（ＲＳＲＱ）が指定される。すなわち、端末装置２は、このトリガ量（ｔｒｉｇｇｅｒＱｕａｎｔｉｔｙ）によって指定された量を利用して、下りリンクの同期信号の測定を行い、イベント識別子（ｅｖｅｎｔＩｄ）で指定されたイベントトリガ条件を満たしているか否かを判定する。ヒステリシス（ｈｙｓｔｅｒｅｓｉｓ）は、イベントトリガ条件で利用されるパラメータである。トリガ時間（ｔｉｍｅＴｏＴｒｉｇｇｅｒ）は、イベントトリガ条件を満たすべき期間を示す。報告量（ｒｅｐｏｒｔＱｕａｎｔｉｔｙ）は、測定報告（ｍｅａｓｕｒｅｍｅｎｔ  ｒｅｐｏｒｔ）において報告する量を示す。ここでは、トリガ量（ｔｒｉｇｇｅｒＱｕａｎｔｉｔｙ）で指定した量、または、参照信号受信電力（ＲＳＲＰ）または参照信号受信品質（ＲＳＲＱ）が指定される。ここで、参照信号受信品質（ＲＳＲＱ）は、（Ｎ＊ＲＳＲＰ）／（ＮＲ  Ｃａｒｒｉｅｒ  ＲＳＳＩ）で表される比である。受信信号強度（ＮＲ  Ｃａｒｒｉｅｒ  ＲＳＳＩ）は、全受信信号電力の強さを示し、測定帯域幅はシステム帯域幅と同じである。Ｎは受信信号強度（ＮＲ  Ｃａｒｒｉｅｒ  ＲＳＳＩ）の測定帯域幅に関するリソースブロック（ＲＢ：Ｒｅｓｏｕｒｃｅ  Ｂｌｏｃｋ）数である。最大報告セル数（ｍａｘＲｅｐｏｒｔＣｅｌｌｓ）は、測定報告（ｍｅａｓｕｒｅｍｅｎｔ  ｒｅｐｏｒｔ）に含めるセルの最大数を示す。報告間隔（ｒｅｐｏｒｔＩｎｔｅｒｖａｌ）は、定期報告（ｐｅｒｉｏｄｉｃａｌ  ｒｅｐｏｒｔｉｎｇ）またはイベントトリガ定期報告（ｅｖｅｎｔ  ｔｒｉｇｇｅｒｅｄ  ｐｅｒｉｏｄｉｃ  ｒｅｐｏｒｔｉｎｇ）に対して利用され、報告間隔（ｒｅｐｏｒｔＩｎｔｅｒｖａｌ）で示される間隔ごとに定期報告する。報告回数（ｒｅｐｏｒｔＡｍｏｕｎｔ）は、必要に応じて、定期報告（ｐｅｒｉｏｄｉｃａｌ  ｒｅｐｏｒｔｉｎｇ）を行う回数を規定する。
【０１６６】
尚、後述のイベントトリガ条件で利用する閾値パラメータやオフセットパラメータ（ａ１＿Ｔｈｒｅｓｈｏｌｄ、ａ２＿Ｔｈｒｅｓｈｏｌｄ、ａ３＿Ｏｆｆｓｅｔ、ａ４＿Ｔｈｒｅｓｈｏｌｄ、ａ5＿Ｔｈｒｅｓｈｏｌｄ１、ａ５＿Ｔｈｒｅｓｈｏｌｄ２、ａ６＿Ｏ
ｆｆｓｅｔ）は、報告設定ＮＲ（ｒｅｐｏｒｔＣｏｎｆｉｇＮＲ）において、イベント識別子（ｅｖｅｎｔＩｄ）と一緒に、端末装置２へ通知される。
【０１６７】
＜イベントトリガ条件について＞
測定報告（ｍｅａｓｕｒｅｍｅｎｔ  ｒｅｐｏｒｔ）をするためのイベントトリガ条件が複数定義されており、それぞれ加入条件と離脱条件がある。すなわち、基地局装置３から指定されたイベントに対する加入条件を満たした端末装置２は、基地局装置３に対して測定報告（ｍｅａｓｕｒｅｍｅｎｔ  ｒｅｐｏｒｔ）を送信する。また、基地局装置３から指定されたイベントに対する離脱条件を満たした端末装置２は、基地局装置３から離脱条件を満たす場合に報告をトリガするように設定されていた場合（報告設定にｒｅｐｏｒｔＯｎＬｅａｖｅが含まれる場合）に、基地局装置３に対して測定報告（ｍｅａｓｕｒｅｍｅｎｔ  ｒｅｐｏｒｔ）を送信する。以下が、各イベントに対する加入条件と離脱条件である。
【０１６８】
＜イベント（Ｅｖｅｎｔ）Ａ１＞
イベント（Ｅｖｅｎｔ）Ａ１加入条件：Ｍｓ−Ｈｙｓ＞ａ１＿Ｔｈｒｅｓｈｏｌｄ
イベント（Ｅｖｅｎｔ）Ａ１離脱条件：Ｍｓ＋Ｈｙｓ＜ａ１＿Ｔｈｒｅｓｈｏｌｄ
＜イベント（Ｅｖｅｎｔ）Ａ２＞
イベント（Ｅｖｅｎｔ）Ａ２加入条件：Ｍｓ−Ｈｙｓ＜ａ２＿Ｔｈｒｅｓｈｏｌｄ
イベント（Ｅｖｅｎｔ）Ａ２離脱条件：Ｍｓ＋Ｈｙｓ＞ａ２＿Ｔｈｒｅｓｈｏｌｄ
＜イベント（Ｅｖｅｎｔ）Ａ３＞
イベント（Ｅｖｅｎｔ）Ａ３加入条件：Ｍｎ＋Ｏｆｎ＋Ｏｃｎ−Ｈｙｓ＞Ｍｓ＋Ｏｆｓ＋Ｏｃｓ＋ａ３＿Ｏｆｆｓｅｔ
イベント（Ｅｖｅｎｔ）Ａ３離脱条件：Ｍｎ＋Ｏｆｎ＋Ｏｃｎ＋Ｈｙｓ＜Ｍｓ＋Ｏｆｓ＋Ｏｃｓ＋ａ３＿Ｏｆｆｓｅｔ
＜イベント（Ｅｖｅｎｔ）Ａ４＞
イベント（Ｅｖｅｎｔ）Ａ４加入条件：Ｍｎ＋Ｏｆｎ＋Ｏｃｎ−Ｈｙｓ＞ａ４＿Ｔｈｒｅｓｈｏｌｄ
イベント（Ｅｖｅｎｔ）Ａ４離脱条件：Ｍｎ＋Ｏｆｎ＋Ｏｃｎ＋Ｈｙｓ＜ａ４＿Ｔｈｒｅｓｈｏｌｄ
＜イベント（Ｅｖｅｎｔ）Ａ５＞
イベント（Ｅｖｅｎｔ）Ａ５加入条件：Ｍｓ−Ｈｙｓ＜ａ５＿Ｔｈｒｅｓｈｏｌｄ１，Ｍｎ＋Ｏｆｎ＋Ｏｃｎ-Ｈｙｓ＞ａ５＿Ｔｈｒｅｓｈｏｌｄ２
イベント（Ｅｖｅｎｔ）Ａ５離脱条件：Ｍｓ＋Ｈｙｓ＞ａ５＿Ｔｈｒｅｓｈｏｌｄ１，Ｍｎ＋Ｏｆｎ＋Ｏｃｎ＋Ｈｙｓ＜ａ５＿Ｔｈｒｅｓｈｏｌｄ２
＜イベント（Ｅｖｅｎｔ）Ａ６＞
イベント（Ｅｖｅｎｔ）Ａ６加入条件：Ｍｎ＋Ｏｃｎ−Ｈｙｓ＞Ｍｓ＋Ｏｃｓ＋ａ６＿Ｏｆｆｓｅｔ
イベント（Ｅｖｅｎｔ）Ａ６離脱条件：Ｍｎ＋Ｏｃｎ＋Ｈｙｓ＜Ｍｓ＋Ｏｃｓ＋ａ６＿Ｏｆｆｓｅｔ
【０１６９】
ここで、Ｍｓとは、サービングセルに対する測定結果である（セル特有の測定オフセット値を考慮しない）。Ｍｎとは、隣接セル（ｎｅｉｇｈｂｏｕｒ  ｃｅｌｌ）に対する測定結果である。Ｈｙｓとは、対象とするイベントに対するヒステリシスパラメータである。
【０１７０】
Ｏｆｎとは、隣接セルの周波数に対する周波数特有の測定オフセット値である。Ｏｆｎは、測定対象ＮＲ（ｍｅａｓＯｂｊｅｃｔＮＲ）のオフセット周波数（ｏｆｆｓｅｔＦｒｅｑ）に相当する。周波数内測定（ｉｎｔｒａ−ｆｒｅｑｕｅｎｃｙ  ｍｅａｓｕｒｅｍｅｎｔｓ）の場合、Ｏｆｎは、Ｏｆｓと同じである。周波数間測定（ｉｎｔｅｒ−ｆｒｅｑｕｅｎｃｙ  ｍｅａｓｕｒｅｍｅｎｔｓ）の場合、Ｏｆｎは、サービングセルとは異なる下りリンク周波数に対応する測定対象ＮＲ（ｍｅａｓＯｂｊｅｃｔＮＲ）に含まれるオフセット周波数（ｏｆｆｓｅｔＦｒｅｑ）である。
【０１７１】
Ｏｃｎとは、隣接セルに対するセル特有の測定オフセット値である。Ｏｃｎは、測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に相当する。Ｏｃｎが設定されていない場合は、測定オフセット値を０とする。周波数内測定（ｉｎｔｒａ−ｆｒｅｑｕｅｎｃｙ  ｍｅａｓｕｒｅｍｅｎｔｓ）の場合、Ｏｃｎは、サービングセルと同じ下りリンク周波数の測定対象ＮＲ（ｍｅａｓＯｂｊｅｃｔＮＲ）に含まれるセル固有オフセット（ｃｅｌｌＩｎｄｉｖｉｄｕａｌＯｆｆｓｅｔ）である。周波数間測定（ｉｎｔｅｒ−ｆｒｅｑｕｅｎｃｙ  ｍｅａｓｕｒｅｍｅｎｔｓ）の場合、Ｏｃｎは、サービングセルとは異なる下りリンク周波数に対応する測定対象ＥＵＴＲＡ（ｍｅａｓＯｂｊｅｃｔＥＵＴＲＡ）に含まれるセル固有オフセット（ｃｅｌｌＩｎｄｉｖｉｄｕａｌＯｆｆｓｅｔ）である。
【０１７２】
Ｏｆｓとは、サービングセルの周波数に対する周波数特有のオフセット値である。Ｏｆｓは、測定対象ＮＲ（ｍｅａｓＯｂｊｅｃｔＮＲ）のオフセット周波数（ｏｆｆｓｅｔＦｒｅｑ）に相当する。
【０１７３】
Ｏｃｓとは、サービングセルに対するセル特有の測定オフセット値である。Ｏｃｓは、サービングセルの周波数の測定対象ＮＲ（ｍｅａｓＯｂｊｅｃｔＮＲ）のセル固有オフセット（ｃｅｌｌＩｎｄｉｖｉｄｕａｌＯｆｆｓｅｔ）に含まれる。
【０１７４】
ａ１＿Ｔｈｒｅｓｈｏｌｄとは、イベントＡ１に対して利用される閾値パラメータである。ａ２＿Ｔｈｒｅｓｈｏｌｄとは、イベントＡ２に対して利用される閾値パラメータである。ａ３＿Ｏｆｆｓｅｔとは、イベントＡ３に対して利用されるオフセットパラメータである。ａ４＿Ｔｈｒｅｓｈｏｌｄとは、イベントＡ４に対して利用される閾値パラメータである。ａ５＿Ｔｈｒｅｓｈｏｌｄ１とａ５＿Ｔｈｒｅｓｈｏｌｄ２とは、イベントＡ５に対して利用される閾値パラメータである。ａ６＿Ｏｆｆｓｅｔとは、イベントＡ６に対して利用されるオフセットパラメータである。
【０１７５】
端末装置２はサービングセルの測定結果Ｍｓ及び隣接セルの測定結果Ｍｎにより各イベントを発生する。サービングセルの測定結果Ｍｓが、各パラメータの適用後、閾値ａ１＿Ｔｈｒｅｓｈｏｌｄよりよい場合、イベントＡ１が発生し、閾値ａ２＿Ｔｈｒｅｓｈｏｌｄより悪い場合、イベントＡ２が発生する。隣接セルの測定結果Ｍｎが、各パラメータの適用後、サービングセル測定結果Ｍｓ及びオフセットａ３＿Ｏｆｆｓｅｔより良い場合、イベントＡ３が発生し、隣接セルの測定結果Ｍｎが、各パラメータの適用後、閾値ａ４＿Ｔｈｒｅｓｈｏｌｄより良い場合、イベントＡ４が発生する。サービングセルの測定結果Ｍｓが、各パラメータの適用後、閾値ａ５＿Ｔｈｒｅｓｈｏｌｄ１より悪い且つ隣接セルの測定結果Ｍｎが、各パラメータの適用後、閾値ａ５＿Ｔｈｒｅｓｈｏｌｄ２より良い場合、イベントＡ５が発生する。
【０１７６】
また、ＮＲ以外のＲＡＴに対する報告設定（Ｒｅｐｏｒｔｉｎｇ  ｃｏｎｆｉｇｕｒａｔｉｏｎｓ）である報告設定ＩｎｔｅｒＲＡＴ（ｒｅｐｏｒｔＣｏｎｆｉｇＩｎｔｅｒＲＡＴ）には、ＮＲ以外のＲＡＴにおける測定の報告に利用するイベントのトリガ条件（ｔｒｉｇｇｅｒｉｎｇ  ｃｒｉｔｅｒｉａ）が定義されてよい。例えば、隣接セル（他のＲＡＴ）の測定結果が、各パラメータの適用後、ＲＡＴ毎に設定される閾値ｂ１＿Ｔｈｒｅｓｈｏｌｄより良い場合、イベントＢ１が発生されてよい。また、ＰＣｅｌｌの測定結果が、各パラメータの適用後、閾値ｂ２＿Ｔｈｒｅｓｈｏｌｄ１より悪い且つ隣接セル（他のＲＡＴ）の測定結果が、各パラメータの適用後、ＲＡＴ毎に設定される閾値ｂ２＿Ｔｈｒｅｓｈｏｌｄ２より良い場合、イベントＢ２が発生されてよい。また、イベントＢ２で用いられるＰＣｅｌｌの測定結果は、ＢＷＰが設定されている場合にはＤ−ＢＷＰに基づき導出された測定結果でもよいし、報告設定で指定されたＢＷＰに基づき導出された測定結果でもよい。あるＢＷＰに基づき導出される測定結果とは、そのＢＷＰと対応付けられたＳＳブロック（例えばＳＳブロックに含まれるＰＳＳ，ＳＳＳ）および／またはＣＳＩ−ＲＳの受信電力に基づき導出されたものであってもよい。
【０１７７】
尚、基地局装置３は、サービングセル品質閾値（ｓ−Ｍｅａｓｕｒｅ）を通知する場合と通知しない場合がある。基地局装置３がサービングセル品質閾値（ｓ−Ｍｅａｓｕｒｅ）を通知する場合、端末装置２は、サービングセル（ｓｅｒｖｉｎｇ  ｃｅｌｌ）の品質（ＲＳＲＰ値）がサービングセル品質閾値（ｓ−Ｍｅａｓｕｒｅ）よりも低いときに、隣接セルの測定と、イベント評価（イベントトリガ条件を満たすか否か、報告条件（Ｒｅｐｏｒｔｉｎｇ  ｃｒｉｔｅｒｉａ）の評価とも言う）を行う。一方、基地局装置３がサービングセル品質閾値（ｓ−Ｍｅａｓｕｒｅ）を通知しない場合、端末装置２は、サービングセルの品質（ＲＳＲＰ値）によらず、隣接セルの測定と、イベント評価を行う。
【０１７８】
＜Ｍｅａｓｕｒｅｍｅｎｔ  Ｒｅｓｕｌｔについて＞
イベントトリガ条件を満たした端末装置２は、基地局装置３に対して、測定報告（Ｍｅ
ａｓｕｒｅｍｅｎｔ  ｒｅｐｏｒｔ）を送信する。測定報告（Ｍｅａｓｕｒｅｍｅｎｔ  ｒｅｐｏｒｔ）には、測定結果（Ｍｅａｓｕｒｅｍｅｎｔ  ｒｅｓｕｌｔ）が含まれる。
【０１７９】
この測定結果（Ｍｅａｓｕｒｅｍｅｎｔ  ｒｅｓｕｌｔ）は、測定識別子（ｍｅａｓＩｄ）、サービングセル測定結果（ｍｅａｓＲｅｓｕｌｔＳｅｒｖｉｎｇ）、ＮＲ測定結果リスト（ｍｅａｓＲｅｓｕｌｔＬｉｓｔＮＲ）で構成される。ここで、ＮＲ測定結果リスト（ｍｅａｓＲｅｓｕｌｔＬｉｓｔＮＲ）には、物理セル識別子（ｐｈｙｓｉｃａｌＣｅｌｌＩｄｅｎｔｉｔｙ）、ＮＲセル測定結果（ｍｅａｓＲｅｓｕｌｔＮＲ）が含まれてよい。
【０１８０】
ここで、測定識別子（ｍｅａｓＩｄ）とは、前述のように、測定対象識別子（ｍｅａｓＯｂｊｅｃｔＩｄ）と報告設定識別子（ｒｅｐｏｒｔＣｏｎｆｉｇＩｄ）とのリンクに利用されていた識別子である。また、サービングセル測定結果（ｍｅａｓＲｅｓｕｌｔＳｅｒｖｉｎｇ）は、サービングセルに対する測定結果であり、サービングセルに対する参照信号受信電力（ＲＳＲＰ）および参照信号受信品質（ＲＳＲＱ）の両方の結果を報告してもよい。また、物理セル識別子（ｐｈｙｓｉｃａｌＣｅｌｌＩｄｅｎｔｉｔｙ）は、セルを識別するために利用する。ＮＲセル測定結果（ｍｅａｓＲｅｓｕｌｔＮＲ）は、ＮＲセルに対する測定結果である。隣接セルの測定結果は関連するイベントの発生時にのみ含まれる。
【０１８１】
第１のセルを含むＭＣＧのセルがＮＲのセルであり、第２のセルを含むＳＣＧのセルがＮＲのセルである場合、ＭＣＧおよびＳＣＧは、ＮＲのＲＲＣメッセージで設定されるかもしれない。また、第１のセルを含むＭＣＧのセルがＬＴＥのセルであり、第２のセルを含むＳＣＧのセルがＮＲのセルである場合、ＭＣＧはＬＴＥのＲＲＣメッセージで設定され、ＳＣＧはＮＲのＲＲＣメッセージで設定されるかもしれない。ＭＣＧに関するパラメータおよびＳＣＧに関するパラメータは、ＭＣＧ  ＳＲＢを使って、ＮＲのＲＲＣメッセージで設定されるかもしれない。ＭＣＧに関するパラメータは、直接ＭＣＧ  ＳＲＢを使って送信されるかもしれない。ＳＣＧに関するパラメータは、直接ＳＣＧのＳＲＢ（ＳＣＧ  ＳＲＢ）を使って送信されるかもしれない。その場合、端末装置２は、ＳＣＧ  ＳＲＢを使って、ＳＣＧに関する報告設定を受信し、ＭＣＧ  ＳＲＢを使ってＭＣＧに関する報告設定を受信するかもしれない。
【０１８２】
ＳＣＧ−Ｃｏｎｆｉｇに関するＳＣＧの無線リソース設定を含むＲＲＣ接続再設定メッセージを受信した端末装置２は、ＳＣＧ  ＳＲＢが設定されている場合、ＳＣＧ−Ｃｏｎｆｉｇに関するＳＣＧの無線リソース設定に対する応答を、ＳＣＧ  ＳＲＢで送ってもよい。より詳細には、ＳＣＧ  ＳＲＢが設定されていて、かつ、ＳＣＧ−Ｃｏｎｆｉｇに関する応答にＳＣＧ  ＳＲＢを使うように設定されている場合に、ＳＣＧ−Ｃｏｎｆｉｇに関するＳＣＧの無線リソース設定に対する応答を、ＳＣＧ  ＳＲＢで送るようにしてもよい。例えば、ＳＣＧ−Ｃｏｎｆｉｇに関するＳＣＧの無線リソース設定を含むＲＲＣ接続再設定メッセージを受信した端末装置２は、ＳＣＧ−Ｃｏｎｆｉｇ以外の新しい設定を適用し、適用に成功した場合、ＲＲＣ接続再設定完了メッセージをＭＣＧ  ＳＲＢを第１の基地局装置３に送る。ＳＣＧ−Ｃｏｎｆｉｇに関するＳＣＧの無線リソース設定を含むＲＲＣ接続再設定メッセージを受信した端末装置２は、ＳＣＧ−Ｃｏｎｆｉｇの新しい設定を適用し、適用に成功した場合、ＳＣＧ  ＲＲＣ接続再設定完了メッセージをＳＣＧ  ＳＲＢを第２の基地局装置３に送る。
【０１８３】
ＲＲＣ接続再設定メッセージの一例を、図８を用いて説明する。
【０１８４】
図８に示すように、ＲＲＣ接続再設定メッセージは（８Ａ）ｒｒｃ−ＴｒａｎｓａｃｔｉｏｎＩｄｅｎｔｉｆｉｅｒ、（８Ｂ）ｍｅａｓＣｏｎｆｉｇ、（８Ｃ）ｍｏｂｉｌｉｔ
ｙＣｏｎｔｒｏｌＩｎｆｏ、（８Ｄ）ｄｅｄｉｃａｔｅｄＩｎｆｏＮＡＳＬｉｓｔ、（８Ｅ）ｒａｄｉｏＲｅｓｏｕｒｃｅＣｏｎｆｉｇＤｅｄｉｃａｔｅｄ、（８Ｆ）ｓｅｃｕｒｉｔｙＣｏｎｆｉｇＨＯ、（８Ｇ）ｏｔｈｅｒＣｏｎｆｉｇ、（８Ｈ）ｆｕｌｌＣｏｎｆｉｇ、（８Ｉ）ｓＣｅｌｌＴｏＲｅｌｅａｓｅＬｉｓｔ、（８Ｊ）ｓＣｅｌｌＴｏＡｄｄＭｏｄＬｉｓｔ、（８Ｋ）ｓｙｓｔｅｍＩｎｆｏｍａｔｉｏｎＢｌｏｃｋＤｅｄｉｃａｔｅｄの一部あるいは全部を含んでよい。
【０１８５】
（８Ａ）ｒｒｃ−ＴｒａｎｓａｃｔｉｏｎＩｄｅｎｔｉｆｉｅｒは、ＲＲＣプロシージャ（トランザクション）の識別に用いられる要素であり、例えば０から３の整数を値として持つ。（８Ｂ）ｍｅａｓＣｏｎｆｉｇは、端末装置２によって実行される（Ｐｅｒｆｏｒｍｅｄ）測定を設定するための情報であり、測定のためのギャップ期間の設定を含んでよい。（８Ｄ）ｄｅｄｉｃａｔｅｄＩｎｆｏＮＡＳＬｉｓｔは、ネットワークと端末装置２との間でやり取りされる端末装置２固有のＮＡＳ層の情報のリストであり、ＤＲＢ毎のＮＡＳ層の情報を含み、ＲＲＣ層は透過的にこの情報を上位レイヤ（ＮＡＳ層）に転送する。（８Ｅ）ｒａｄｉｏＲｅｓｏｕｒｃｅＣｏｎｆｉｇＤｅｄｉｃａｔｅｄは、ＳＲＢやＤＲＢの設定、変更、および／または解放に使われる情報、ＭＡＣ層の設定を変更するための情報、物理層のチャネル設定に関する情報などが含まれてよい。（８Ｆ）ｓｅｃｕｒｉｔｙＣｏｎｆｉｇＨＯは、セキュリティに関する設定であり、例えば、ＳＲＢのＡＳ層における完全性保証（Ｉｎｔｅｇｒｉｔｙ  Ｐｒｏｔｅｃｔｉｏｎ）アルゴリズムの設定や、ＳＲＢおよび／またはＤＲＢの暗号（Ｃｉｐｈｅｒｉｎｇ）アルゴリズムの設定などを含んでよい。（８Ｈ）ｆｕｌｌＣｏｎｆｉｇは、このＲＲＣ接続再設定メッセージに特定のオプションが適用されるか否かを示す情報であり、端末装置２は、（８Ｈ）ｆｕｌｌＣｏｎｆｉｇがＲＲＣ接続再設定メッセージに含まれる場合に、特定の要素に含まれる設定を適用するようにしてよい。（８Ｉ）ｓＣｅｌｌＴｏＲｅｌｅａｓｅＬｉｓｔ、（８Ｊ）ｓＣｅｌｌＴｏＡｄｄＭｏｄＬｉｓｔは、セカンダリセルの追加、変更、および／または解放に使われる情報が含まれてよい。また、ｓＣｅｌｌＴｏＡｄｄＭｏｄＬｉｓｔは、Ｄ−ＢＷＰの設定情報および／または１つまたは複数のＢＷＰの設定情報を含んでもよい。また、ｓＣｅｌｌＴｏＡｄｄＭｏｄＬｉｓｔは、１つまたは複数のＲＬＭ−ＲＳの設定情報を含んでもよい。（８Ｋ）ｓｙｓｔｅｍＩｎｆｏｍａｔｉｏｎＢｌｏｃｋＤｅｄｉｃａｔｅｄは、ターゲットセルの報知情報の一部を含んでよい。
【０１８６】
（８Ｃ）ｍｏｂｉｌｉｔｙＣｏｎｔｒｏｌＩｎｆｏは、ネットワーク制御によるモビリティ（例えばハンドオ−バ）のために必要なパラメータを含む。（８Ｃ）ｍｏｂｉｌｉｔｙＣｏｎｔｒｏｌＩｎｆｏは、ｔａｒｇｅｔＰｈｙｓＣｅｌｌＩｄ、ｃａｒｒｉｅｒＦｒｅｑ、ｃａｒｒｉｅｒＢａｎｄｗｉｄｔｈ、ｔ３０４、ｎｅｗＵＥ−Ｉｄｅｎｔｉｔｙ、ｒａｄｉｏＲｅｓｏｕｒｃｅＣｏｎｆｉｇＣｏｍｍｏｎ、ｒａｃｈ−ＣｏｎｆｉｇＤｅｄｉｃａｔｅｄ、の一部あるいは全部を含んでよい。また、（８Ｃ）ｍｏｂｉｌｉｔｙＣｏｎｔｒｏｌＩｎｆｏは、その他の様々な情報を含んでもよい。
【０１８７】
ｔａｒｇｅｔＰｈｙｓＣｅｌｌＩｄは、ターゲットセルの識別子(例えば物理セル識別
子）を示す。ｃａｒｒｉｅｒＦｒｅｑは、端末装置２がターゲットセルで使う周波数の情報を示す。ｃａｒｒｉｅｒＢａｎｄｗｉｄｔｈは、ターゲットセルの下りリンクおよび／または上りリンクの帯域幅の情報を示す。ｔ３０４は、ハンドオ−バに関するタイマーの値を示し、例えば端末装置２は、タイマーで示される時間内にハンドオ−バが正常に完了しない場合に既定の処理を実行してもよい。ｎｅｗＵＥ−Ｉｄｅｎｔｉｔｙは、ターゲットセルにおける端末装置２の新しい識別子（例えばＣ−ＲＮＴＩ）を示す。
【０１８８】
ｒａｄｉｏＲｅｓｏｕｒｃｅＣｏｎｆｉｇＣｏｍｍｏｎは、ランダムアクセスパラメータや静的な物理層パラメータなどの共通無線リソース設定を特定する（Ｓｐｅｃｉｆｙ）ために使われる情報を含む。
【０１８９】
ｒａｃｈ−ＣｏｎｆｉｇＤｅｄｉｃａｔｅｄは、端末装置２に対して割り当てられる個別のランダムアクセスパラメータを特定するために使われる情報を含む。例えば、ランダムアクセスプリアンブルのフォーマットや時間／周波数リソースを明示的に示す情報、および／またはプリアンブルの送信に用いられるヌメロロジーの情報、の一部または全部を含んでよい。
【０１９０】
（８Ｇ）ｏｔｈｅｒＣｏｎｆｉｇは、その他の設定の一部あるいは全部が含まれる。
【０１９１】
ＲＲＣ接続再設定メッセージに含まれるセカンダリセルグループの設定（ＳＣＧ−Ｃｏｎｆｉｇｕｒａｔｉｏｎ）の一例を、図９を用いて説明する。
【０１９２】
図９に示すように、セカンダリセルグループの設定は（９Ａ）ｓｃｇ−ＣｏｎｆｉｇＰａｒｔＭＣＧ、（９Ｂ）ｓｃｇ−ＣｏｎｆｉｇＰａｒｔＳＣＧの一部あるいは全部を含んでよい。
【０１９３】
（９Ａ）ｓｃｇ−ＣｏｎｆｉｇＰａｒｔＭＣＧは、セカンダリセルグループの設定を行う際のマスターセルグループにも関連する設定であり、例えば鍵情報の更新に関する情報および／またはマスターセルグループおよびセカンダリセルグループの電力に関する情報などが含まれてもよい。（９Ｂ）ｓｃｇ−ＣｏｎｆｉｇＰａｒｔＳＣＧは、セカンダリセルグループの設定であり、例えば図１０に示すような、（１０Ａ）ｒａｄｉｏＲｅｓｏｕｒｃｅＣｏｎｆｉｇＤｅｄｉｃａｔｅｄＳＣＧ、ｐＳＣｅｌｌＴｏＡｄｄＭｏｄ、（１０Ｃ）ｓＣｅｌｌＴｏＡｄｄＭｏｄＬｉｓｔＳＣＧ、（１０Ｄ）ｓＣｅｌｌＴｏＲｅｌｅａｓｅＬｉｓｔＳＣＧ、および／または（１０Ｅ）ｍｏｂｉｌｉｔｙＣｏｎｔｒｏｌＩｎｆｏＳＣＧを含んでもよい。
【０１９４】
（１０Ａ）ｒａｄｉｏＲｅｓｏｕｒｃｅＣｏｎｆｉｇＤｅｄｉｃａｔｅｄＳＣＧは、ＳＣＧに対する端末装置２固有の無線リソース設定であり、ＤＲＢの追加／変更のための情報、ＭＡＣ層の設定情報、タイマーの設定値、および／または定数情報を含んでよい。（１０Ｂ）ｐＳＣｅｌｌＴｏＡｄｄＭｏｄは、ＰＳＣｅｌｌとなるセルの追加／変更情報であり、ＳＣｅｌｌ（ＰＳＣｅｌｌ）を識別するためのインデックス情報、セルの識別子（例えば物理セル識別子またはセルグロ−バル識別子）、下りリンクのキャリア周波数情報、ＰＳＣｅｌｌの共通無線リソース設定、および／またはＰＳＣｅｌｌの端末装置２固有の無線リソース設定の情報が含まれてよい。
【０１９５】
（１０Ｃ）ｓＣｅｌｌＴｏＡｄｄＭｏｄＬｉｓｔＳＣＧは、セカンダリセルグループのＳＣｅｌｌとなるセルの追加／変更情報であり、１つまたは複数のＳＣｅｌｌ情報のリストを含んでよい。さらに、各ＳＣｅｌｌ情報にはＳＣｅｌｌを識別するためのＳＣｅｌｌインデックス情報、セルの識別子（例えば物理セル識別子またはセルグロ−バル識別子）、下りリンクのキャリア周波数情報、および／またはＳＣｅｌｌの共通無線リソース設定の情報が含まれてよい。また、ｓＣｅｌｌＴｏＡｄｄＭｏｄＬｉｓｔＳＣＧは、Ｄ−ＢＷＰの設定情報および／または１つまたは複数のＢＷＰの設定情報を含んでもよい。また、ｓＣｅｌｌＴｏＡｄｄＭｏｄＬｉｓｔＳＣＧは、１つまたは複数のＲＬＭ−ＲＳの設定情報を含んでもよい。（１０Ｄ）ｓＣｅｌｌＴｏＲｅｌｅａｓｅＬｉｓｔＳＣＧは、セカンダリセルグループのＳＣｅｌｌを解放するための情報であり、１つまたは複数のＳＣｅｌｌインデックス情報のリストを含んでよい。
【０１９６】
（１０Ｅ）ｍｏｂｉｌｉｔｙＣｏｎｔｒｏｌＩｎｆｏＳＣＧは、セカンダリセルグループの変更に必要な情報であり、セカンダリセルグループにおいて端末装置２に割り当てられる識別子、端末装置２に対して割り当てられる個別のランダムアクセスパラメータを特
定するために使われる情報、および／または暗号アルゴリズムに関する情報が含まれてよい。
【０１９７】
なお、上記メッセージは一例であり、ＲＲＣ接続再設定メッセージは上記ＲＲＣ接続再設定メッセージ以外の情報を含んでもよいし、上記ＲＲＣ接続再設定メッセージの一部の情報を含まなくてもよい。また、ＲＲＣ接続再設定メッセージは、上記ＲＲＣ接続再設定メッセージとは異なる構造、情報要素名、メッセージ名、あるいはパラメータ名でもよい。
【０１９８】
次に、ＭＮとＳＮから端末装置２に対して測定設定を設定する動作の一例について説明する。
【０１９９】
ＭＮとＳＮの測定対象が独立している場合の測定設定の一例について図１１および図１２を使って説明する。
【０２００】
図１１において、ＭＮは、ＭＣＧ  ＳＲＢを介して、ＳＮと独立した測定対象を含む測定設定を端末装置２に設定する（ステップＳ１１２）。それに先立ち、ＭＮとＳＮがお互いに設定する測定対象の情報を通知してもよい（ステップＳ１１１）。
【０２０１】
ＳＮは、ＳＣＧ  ＳＲＢを介して、ＭＮと独立した測定対象を含む測定設定を端末装置２に設定する（ステップＳ１１３）。
【０２０２】
ここで、ステップＳ１１２およびステップＳ１１３で設定される測定設定の一例を図１２に示す。
【０２０３】
図１２において、ＭＮ側では、端末装置２に対して、３つの測定対象が設定され、２つのｒｅｐｏｒｔＣｏｎｆｉｇＥＵＴＲＡと１つのｒｅｐｏｒｔＣｏｎｆｉｇＩｎｔｅｒＲＡＴが設定されている。この３つの報告設定とそれぞれ紐づけられた測定対象の組み合わせに対して測定識別子が設定されている。ＳＮ側では、端末装置２に対して、ＭＮとは独立した３つの測定対象が設定され、３つのｒｅｐｏｒｔＣｏｎｆｉｇＮＲが設定されている。この３つの報告設定とそれぞれ紐づけられた測定対象の組み合わせに対して測定識別子が設定されている。
【０２０４】
このとき、サービングセルとして、ＭＮ側の測定におけるサービングセルはＭＮのセル（ＭＣＧのセル）のみとして、ＳＮ側の測定におけるサービングセルはＳＮのセル（ＳＣＧのセル）のみとしてもよい。この場合、ＰＳＣｅｌｌは測定上はＰＣｅｌｌとみなすことができ、ＰＣｅｌｌを用いたイベントのＰＣｅｌｌをＰＳＣｅｌｌに置き換えてもよい。
【０２０５】
ＳＣＧの各サービングセルの測定は、ＢＷＰが設定されていない場合には、サービングセル内のある周波数にあるＳＳブロックに基づき行われてもよい。サービングセル内のある周波数とは、セルサーチにおいてこのサービングセルの検出に用いられたＳＳブロックのある周波数であってもよいし、ハンドオーバのためのＲＲＣ層のメッセージによって通知されたＳＳブロックのある周波数であってもよいし、ＲＬＭ−ＲＳとしてＲＲＣ層のメッセージによって設定されたＳＳブロックのある周波数であってもよい。また、ＳＳブロックはビーム毎にあってもよい。端末装置２は、前記周波数にあるサービングセルのＳＳブロック（ビーム毎にある場合にはそれらのＳＳブロック）のＲＳＲＰおよび／またはＲＳＲＱおよび／またはＳＩＮＲに基づきサービングセルの測定を行ってもよい。
【０２０６】
また、ＳＣＧの各サービングセルの測定は、１つまたは複数のＢＷＰが設定されている
場合には、Ｄ−ＢＷＰのＳＳブロックに基づき行われてもよいし、Ａ−ＢＷＰのＳＳブロックに基づき行われてもよいし、測定設定で設定されるＳＳブロックに基づき行われてもよいし、端末装置２に設定されたＲＬＭ−ＲＳに基づき行われてもよい。また、ＢＷＰ毎のＳＳブロックは、さらにビーム毎にあってもよい。端末装置２は、各ＢＷＰと対応付けられたＳＳブロック（ビーム毎にある場合にはそれらのＳＳブロック）のＲＳＲＰおよび／またはＲＳＲＱおよび／またはＳＩＮＲに基づきサービングセルの測定を行われてもよい。ＳＳブロックを用いる測定は、ＳＳブロックに含まれるＰＳＳおよび／またはＳＳＳを用いた測定であってよい。また、ＳＳブロックの代わりにＣＳＩ−ＲＳが測定に用いられてもよい。測定にＳＳブロックを用いるかＣＳＩ−ＲＳを用いるかはネットワークから設定されてよい。
【０２０７】
上記測定設定が設定された端末装置２は、ＭＮに設定された（ＭＣＧ  ＳＲＢで設定された）報告設定の条件を満たす場合（ステップＳ１１４）に、測定結果をＭＮに（ＭＣＧ
ＳＲＢを介して）通知する（ステップＳ１１５）また、ＳＮに設定された（ＳＣＧ  ＳＲＢで設定された）報告設定の条件を満たす場合（ステップＳ１１６）に、測定結果をＳＮに（ＳＣＧ  ＳＲＢを介して）通知する（ステップＳ１１７）。
【０２０８】
これにより、ＭＮとＳＮはお互いの設定に影響されることなく効率的な測定を行うことができる。
【０２０９】
次に、測定報告について説明する。図１３は端末装置２がＭＮおよび／またはＳＮに報告する測定結果（ｍｅａｓＲｅｓｕｌｔｓ）の一例を示す図である。測定結果には報告をトリガした測定識別子（ｍｅａｓＩｄ）、ＰＣｅｌｌの受信電力（ＲＳＲＰ）および／または受信品質（ＲＳＲＱ）を含む情報（ｍｅａｓＲｅｓｕｌｔＰＣｅｌｌ）、測定識別子に対応する隣接セルの測定結果（ｍｅａｓＲｅｓｕｌｔＮｅｉｇｈＣｅｌｌｓ）、サービング周波数の測定結果のリスト（ｍｅａｓＲｅｓｕｌｔＳｅｒｖＦｒｅｑＬｉｓｔ）の一部あるいは全部を含んでよい。隣接セルの測定結果には、１つまたは複数のＲＡＴ毎の測定結果（ｍｅａｓＲｅｓｕｌｔＬｉｓｔＥＵＴＲＡ、ｍｅａｓＲｅｓｕｌｔＬｉｓｔＮＲ、ＭｅａｓＲｅｓｕｌｔＬｉｓｔＮＲ、ｍｅａｓＲｅｓｕｌｔＬｉｓｔＵＴＲＡ、ｍｅａｓＲｅｓｕｌｔＬｉｓｔＧＥＲＡＮ、ｍｅａｓＲｅｓｕｌｔｓＣＤＭＡ２０００）が含まれてよい。
【０２１０】
サービング周波数の測定結果のリスト（ｍｅａｓＲｅｓｕｌｔＳｅｒｖＦｒｅｑＬｉｓｔ）の一例を図１４に示す。図１４に示すようにサービング周波数の測定結果のリストは、１または複数のサービング周波数の測定結果（ＭｅａｓＲｅｓｕｌｔＳｅｒｖＦｒｅｑ）で構成されてよい。サービング周波数の測定結果には、サービング周波数の識別子としてＳｅｒｖＣｅｌｌＩｎｄｅｘと、その周波数のＳＣｅｌｌの受信電力（ＲＳＲＰ）および／または受信品質（ＲＳＲＱ）を含む情報（ｍｅａｓＲｅｓｕｌｔＰＣｅｌｌ）、その周波数の隣接セルでもっとも良い受信電力（ＲＳＲＰ）および／または受信品質（ＲＳＲＱ）のセルのセル識別子および受信電力（ＲＳＲＰ）および／または受信品質（ＲＳＲＱ）の一部あるいは全部を含んでよい。また、サービング周波数の測定結果には、サービング周波数の識別子としてキャリア周波数を示すＡＲＦＣＮ（Ａｂｓｏｌｕｔｅ  ｒａｄｉｏ−ｆｒｅｑｕｅｎｃｙ  ｃｈａｎｎｅｌ  ｎｕｍｂｅｒ）が含まれてもよい。
【０２１１】
サービングセル（ＳＣｅｌｌ）の測定結果には、そのサービングセル内で設定されたＢＷＰ毎の測定結果が含まれてもよい。各ＢＷＰの測定結果を識別するために、各ＢＷＰの測定結果とともに、ＢＷＰの識別子が含まれてもよいし、各ＢＷＰの周波数情報（例えばＡＲＦＣＮや、サービングセルの特定のサブキャリアからのオフセット）が含まれてもよい。各ＢＷＰの周波数情報がサービングセルの特定のサブキャリアからのオフセットである場合には、オフセットはサブキャリア単位でもよいし、ＲＢ（リソースブロック）単位
でもよい。各ＢＷＰの測定結果にはさらにビーム毎の測定結果が含まれてもよい。あるいは、ビーム毎の測定結果にＢＷＰを識別可能な情報が含まれてもよい。あるいは、ＢＷＰを識別せず、すべてビーム毎の測定結果として各ＢＷＰの測定結果がサービングセルの測定結果に含まれてもよい。
【０２１２】
隣接セルの測定結果のリスト（ｍｅａｓＲｅｓｕｌｔＬｉｓｔＥＵＴＲＡ、ｍｅａｓＲｅｓｕｌｔＬｉｓｔＮＲ）の一例を図１５に示す。図１５に示すように隣接セルの測定結果のリストは、１または複数の隣接セルの測定結果（ｍｅａｓＲｅｓｕｌｔＥＵＴＲＡ、ｍｅａｓＲｅｓｕｌｔＮＲ）で構成されてよい。隣接セルの測定結果には、隣接セルの識別子（物理セル識別子やセルグローバル識別子）や、そのセルの受信電力（ＲＳＲＰ）および／または受信品質（ＲＳＲＱ）を含む情報（ｍｅａｓＲｅｓｕｌｔ）の一部あるいは全部が含まれてよい。
【０２１３】
また、上記測定結果のサービング周波数の測定結果のリスト（ｍｅａｓＲｅｓｕｌｔＳｅｒｖＦｒｅｑＬｉｓｔ）をＭＮのセルとＳＮのセル（ＭＣＧとＳＣＧ）とに分けてもよい。例えば、ＭＮのセルのサービング周波数の測定結果のリスト（ｍｅａｓＲｅｓｕｌｔＳｅｒｖＦｒｅｑＬｉｓｔＭＣＧ）とＳＮのセルのサービング周波数の測定結果のリスト（ｍｅａｓＲｅｓｕｌｔＳｅｒｖＦｒｅｑＬｉｓｔＳＣＧ）とに分けてもよい。さらに、ｍｅａｓＲｅｓｕｌｔＳｅｒｖＦｒｅｑＬｉｓｔＭＣＧとｍｅａｓＲｅｓｕｌｔＳｅｒｖＦｒｅｑＬｉｓｔＳＣＧとをＭＮに報告し、ｍｅａｓＲｅｓｕｌｔＳｅｒｖＦｒｅｑＬｉｓｔＳＣＧのみをＳＮに通知してもよい。
【０２１４】
また、上記測定結果の隣接セルの測定結果のリストを生成する際に、ＭＣＧとＳＣＧの何れかのグループのみをサービングセルとみなし、残りのグループのセルを隣接セルとみなしてもよい。例えばＭＣＧがＥＵＴＲＡのセルでＳＣＧがＮＲのセルで構成されている場合、ＭＮに対する測定報告は、ＭＣＧのセルのみをサービングセルとみなして、ＳＣＧのセルを隣接セルとみなして必要であればｍｅａｓＲｅｓｕｌｔＬｉｓｔＮＲを用いてＭＮに報告してもよい。また、ＳＮに対する測定報告は、ＳＣＧのセルのみをサービングセルとみなして、ＭＣＧのセルを隣接セルとみなして必要であればｍｅａｓＲｅｓｕｌｔＬｉｓｔＥＵＴＲＡを用いてＳＮに報告してもよい。
【０２１５】
端末装置２は上記報告を行う際に、ＭＮから通知される情報に基づき、ＭＮおよび／またはＳＮに対して報告する測定報告に何れのサービングセルの測定結果を含めるかを決定してもよい。例えば、ＳＮへの報告を制限する情報がＭＮから通知された場合、端末装置２は、ＭＮに対してはサービングセルの測定結果としてＭＣＧのセルとＳＣＧのセルの測定結果を含めて報告し、ＳＮに対してはサービングセルの測定結果としてＳＣＧのセルの測定結果のみを含めて報告してもよい。また、全体の報告を制限する情報がＭＮから通知された場合、端末装置２は、ＭＮに対してはサービングセルの測定結果としてＭＣＧのセルの測定結果のみを含めて報告し、ＳＮに対してはサービングセルの測定結果としてＳＣＧのセルの測定結果のみを含めて報告してもよい。
【０２１６】
これにより、基地局装置３が、端末装置２に対して適切な無線リソース設定を行うことができる。
【０２１７】
なお、ＳＣＧ障害情報メッセージに含まれるＳＣｅｌｌの情報と、測定のサービング周波数の測定結果のリスト（ｍｅａｓＲｅｓｕｌｔＳｅｒｖＦｒｅｑＬｉｓｔ）に含まれるＳＣｅｌｌの情報とは異なる情報であってもよい。例えばｍｅａｓＲｅｓｕｌｔＳｅｒｖＦｒｅｑＬｉｓｔにのみＢＷＰ毎の測定結果を含めてもよい。また、ＳＣＧ障害情報メッセージには各ＳＣｅｌｌのＤ−ＢＷＰの測定結果のみを含めてＤ−ＢＷＰ以外の測定結果を含めないようにしてもよい。
【０２１８】
また、ＳＣＧ障害情報および／または測定報告で通知される各ＲＳＲＰ（および／またはＲＳＲＱおよび／またはＳＩＮＲ）の導出は、報告するパラメータや端末装置２への設定によって、様々な参照信号をベースにおこなわれてもよい。例えば、セル単位の測定結果としてのＲＳＲＰは、ＢＷＰが設定されている場合にはＤ−ＢＷＰのＳＳブロック（ＣＳＩ−ＲＳを用いるように設定されている場合にはＣＳＩ−ＲＳ）に基づくＲＳＲＰを報告し、その他に、ＢＷＰ毎のＲＳＲＰとして、各ＢＷＰに設定されたＳＳブロックまたはＣＳＩ−ＲＳに基づくＲＳＲＰが導出されて報告されてもよい。また、ビームごとのＲＳＲＰとして、各ビームに対応付けられたＳＳブロックまたはＣＳＩ−ＲＳに基づくＲＳＲＰが導出されて報告されてもよい。また、ＢＷＰ毎のＲＳＲＰは各ＢＷＰの各ビームのＲＳＲＰをベースに導出されて報告されてもよい。例えば、ＲＳＲＰのもっとも大きいビームの測定値と設定される閾値を超える２番目以降にＲＳＲＰの大きいＮ−１本までのビームの測定値を平均したものをセル（またはＢＷＰ）の測定値としてもよい。
【０２１９】
また、無線リンク監視で用いられるＲＬＭ−ＲＳの設定および／または測定で用いられるＲＳの設定には、ＲＳタイプが含まれてよい。ＲＳタイプは、ＳＳブロック、ＣＳＩ−ＲＳ、またはＳＳブロックとＣＳＩ−ＲＳの両方、から選択されてよい。
【０２２０】
本発明の実施形態における装置の構成について説明する。
【０２２１】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。また様々な条件に基づき各部の動作を制御する制御部を別途備えてもよい。
【０２２２】
上位層処理部２４は、ユ−ザの操作等により生成された上りリンクデ−タ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の一部あるいはすべての処理を行なう。上位層処理部２４は、媒体アクセス制御層処理部、パケットデ−タ統合プロトコル層処理部、無線リンク制御層処理部、無線リソース制御層処理部の一部あるいはすべての処理部で構成されてもよい。
【０２２３】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジュ−リングリクエストの伝送の制御を行う。
【０２２４】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０２２５】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、デ−タを変調、符号化することによって送信信号を生成し、基地局装置３に送信する。
【０２２６】
ＲＦ部２２は、アンテナ部２１を介して受信した信号を、直交復調によりベースバンド信号に変換し（ダウンコンバ−ト:  ｄｏｗｎ  ｃｏｖｅｒｔ）、不要な周波数成分を除
去する。ＲＦ部２２は、処理をしたアナログ信号をベースバンド部に出力する。
【０２２７】
ベースバンド部２３は、ＲＦ部２２から入力されたアナログ信号を、アナログ信号をデジタル信号に変換する。ベースバンド部２３は、変換したデジタル信号からＣＰ（Cyclic
Prefix）に相当する部分を除去し、ＣＰを除去した信号に対して高速フ−リエ変換（Ｆａｓｔ  Ｆｏｕｒｉｅｒ  Ｔｒａｎｓｆｏｒｍ：ＦＦＴ）を行い、周波数領域の信号を抽出する。
【０２２８】
ベースバンド部２３は、デ−タを逆高速フ−リエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０２２９】
ＲＦ部２２は、ロ−パスフィルタを用いてベースバンド部２３から入力されたアナログ信号から余分な周波数成分を除去し、アナログ信号を搬送波周波数にアップコンバ−ト（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０２３０】
なお、端末装置２は、複数の周波数（周波数帯、周波数帯域幅）またはセルの同一サブフレ−ム内での送受信処理をサポートするために各部の一部あるいはすべてを複数備える構成であってもよい。
【０２３１】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。また様々な条件に基づき各部の動作を制御する制御部を別途備えてもよい。
【０２３２】
上位層処理部３４は、媒体アクセス制御（ＭＡＣ：  Ｍｅｄｉｕｍ  Ａｃｃｅｓｓ  Ｃｏｎｔｒｏｌ）層、パケットデ−タ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の一部あるいはすべての処理を行なう。
【０２３３】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジュ−リングリクエストに関する処理を行う。
【０２３４】
上位層処理部３４が備える無線リソース制御層処理部３６は、無線リソース制御層の処理を行う。無線リソース制御層処理部３６は、物理下りリンク共用チャネルに配置される下りリンクデ−タ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノ−ドから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０２３５】
無線送受信部３０の機能は、無線送受信部２０と同様であるため説明を省略する。なお、基地局装置３が１または複数の送受信点４と接続している場合、無線送受信部３０の機能の一部あるいは全部が、各送受信点４に含まれてもよい。
【０２３６】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデ−タ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケ−ション層処理部が存在している。
【０２３７】
なお、図中の「部」とは、セクション、回路、構成装置、デバイス、ユニットなど用語によっても表現される、端末装置２および基地局装置３の機能および各手順を実現する要素である。
【０２３８】
端末装置２が備える符号２０から符号２６が付された部のそれぞれは、回路として構成されてもよい。基地局装置３が備える符号３０から符号３６が付された部のそれぞれは、回路として構成されてもよい。
【０２３９】
本発明の実施形態における、端末装置２および基地局装置３の種々の態様について説明する。
【０２４０】
（１）本発明の第１の態様は、基地局装置と通信する端末装置であって、前記端末装置は、ＤＣ（Ｄｕａｌ  Ｃｏｎｎｅｃｔｉｖｉｔｙ）のために、複数のセルグループが設定され、前記複数のセルグループは、マスターセルグループ（ＭＣＧ）とセカンダリセルグループ（ＳＣＧ）とを含み、前記セカンダリセルグループの少なくとも１つの第1のサー
ビングセルにおいて下りリンクの無線リンク品質をモニタするモニタ部と、前記セカンダリセルグループの無線リンク障害を検出する制御部と、前記セカンダリセルグループの無線リンク障害を検出した場合にＳＣＧ障害情報を前記基地局装置に通知する通知部とを具備し、前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、前記サービングセルそれぞれの測定結果は、第１の周波数領域の測定結果（第１の測定結果）であって、第１のサービングセルにおいて、第１の周波数領域に加え、第２の１つまたは複数の周波数領域が設定された場合、前記第１のサービングセルの第２の１つまたは複数の周波数領域の測定結果（第２の測定結果）を前記ＳＣＧ障害情報に含める。
【０２４１】
（２）本発明の第１の態様において、前記第１の測定結果は、マスターセルグループの
基地局装置が解釈できる情報として通知され、前記第２の測定結果は、セカンダリセルグループの基地局装置が解釈できる情報として通知される。
【０２４２】
（３）本発明の第２の態様は、基地局装置と通信する端末装置に適用される通信方法であって、前記端末装置は、ＤＣ（Ｄｕａｌ  Ｃｏｎｎｅｃｔｉｖｉｔｙ）のために、複数のセルグループが設定され、前記複数のセルグループは、マスターセルグループ（ＭＣＧ）とセカンダリセルグループ（ＳＣＧ）とを含み、前記セカンダリセルグループの少なくとも１つの第1のサービングセルにおいて下りリンクの無線リンク品質をモニタするステ
ップと、前記セカンダリセルグループの無線リンク障害を検出するステップと、前記セカンダリセルグループの無線リンク障害を検出した場合にＳＣＧ障害情報を前記基地局装置に通知するステップとを含み、前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、前記サービングセルそれぞれの測定結果は、第１の周波数領域の測定結果（第１の測定結果）であって、第１のサービングセルにおいて、第１の周波数領域に加え、第２の１つまたは複数の周波数領域が設定された場合、前記第１のサービングセルの第２の１つまたは複数の周波数領域の測定結果（第２の測定結果）を前記ＳＣＧ障害情報に含める。
【０２４３】
（４）本発明の第２の態様において、前記第１の測定結果は、マスターセルグループの基地局装置が解釈できる情報として通知され、前記第２の測定結果は、セカンダリセルグループの基地局装置が解釈できる情報として通知される。
【０２４４】
（５）本発明の第３の態様は、基地局装置と通信する端末装置に実装される集積回路であって、前記端末装置は、ＤＣ（Ｄｕａｌ  Ｃｏｎｎｅｃｔｉｖｉｔｙ）のために、複数のセルグループが設定され、前記複数のセルグループは、マスターセルグループ（ＭＣＧ）とセカンダリセルグループ（ＳＣＧ）とを含み、前記セカンダリセルグループの少なくとも１つの第1のサービングセルにおいて下りリンクの無線リンク品質をモニタする機能
と、前記セカンダリセルグループの無線リンク障害を検出する機能と、前記セカンダリセルグループの無線リンク障害を検出した場合にＳＣＧ障害情報を前記基地局装置に通知する機能とを前記端末装置に対して発揮させ、前記セカンダリセルグループのサービングセルの測定結果の情報として、前記セカンダリグループの一つまたは複数のサービングセルそれぞれの測定結果を前記ＳＣＧ障害情報に含めて前記基地局装置に通知し、前記サービングセルそれぞれの測定結果は、第１の周波数領域の測定結果（第１の測定結果）であって、第１のサービングセルにおいて、第１の周波数領域に加え、第２の１つまたは複数の周波数領域が設定された場合、前記第１のサービングセルの第２の１つまたは複数の周波数領域の測定結果（第２の測定結果）を前記ＳＣＧ障害情報に含める。
【０２４５】
（６）本発明の第３の態様において、前記第１の測定結果は、マスターセルグループの基地局装置が解釈できる情報として通知され、前記第２の測定結果は、セカンダリセルグループの基地局装置が解釈できる情報として通知される。
【０２４６】
（５）本発明の第４の態様は、端末装置に測定設定を送信する基地局装置（第１の基地局装置）に適用される通信方法であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断するステ
ップと、第１の基地局装置のセルグループのサービングセルの測定結果を含めるか否かを示す情報を前記端末装置に送信するステップとを含む。
【０２４７】
（６）本発明の第５の態様は、１または複数の基地局装置から測定設定を受信する端末装置に実装される集積回路であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、第１のシグナリング無線ベアラ（第１のＳＲＢ）および第２のシグナリング無線ベアラ（第２のＳＲＢ）を介してそれぞれの前記報告設定を受信する機能と、前記第１のＳＲＢを介して受信した前記測定識別子に対応する第１の測定結果を前記第１のＳＲＢを介して送信し、前記第２のＳＲＢを介して受信した前記測定識別子に対応する第２の測定結果を前記第２のＳＲＢを介して送信する機能とを前記端末装置に対して発揮させ、前記第１の測定結果に含めるサービングセルの測定結果として、第１のセルグループのサービングセルと第２のセルグループのサービングセルの測定結果を含め、前記第２の測定結果に含めるサービングセルの測定結果として、前記第２のセルグループのサービングセルの測定結果を含める。
【０２４８】
（７）本発明の第６の態様は、端末装置に測定設定を送信する基地局装置（第１の基地局装置）に実装される集積回路であって、前記測定設定には、測定対象と報告設定と測定識別子とが含まれ、前記測定対象には、個々の測定対象を識別するための識別子（測定対象識別子）と測定する周波数に関する情報が少なくとも含まれ、前記報告設定には、個々の報告設定を識別するための識別子（報告設定識別子）と報告する条件に関する情報が少なくとも含まれ、前記測定識別子は、前記測定対象識別子と前記報告設定識別子との組み合わせを示す情報のそれぞれを識別する識別子であり、前記端末装置から他の基地局装置（第２の基地局装置）に通知される測定結果に含めるサービングセルの測定結果に、第１の基地局装置のセルグループのサービングセルの測定結果を含めるか否かを判断する機能と、第１の基地局装置のセルグループのサービングセルの測定結果を含めるか否かを示す情報を前記端末装置に送信する機能とを前記基地局装置に対して発揮させる。
【０２４９】
これにより、端末装置  ２および基地局装置３は、効率的に通信を行うことができる。
【０２５０】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０２５１】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２５２】
端末装置２は、ユ−ザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）、ＮＲ  ＮＢ（ＮＲ  ＮｏｄｅＢ）、ＮＮＢ、ＴＲＰ（Ｔｒａｎｓｍｉｓｓｉｏｎ  ａｎｄ  Ｒｅｃｅｐｔｉｏｎ  Ｐｏｉｎｔ）、
ｇＮＢ（ｎｅｘｔ  ｇｅｎｅｒａｔｉｏｎ  Ｎｏｄｅ  Ｂ）とも称される。
【０２５３】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３と通信することも可能である。
【０２５４】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよいし、あるいは次世代コアネットワーク（ＮｅｘｔＧｅｎ  Ｃｏｒｅ）であってもよい。また、上述した実施形態における基地局装置３は、ｅＮｏｄｅＢに対する上位ノ−ドの機能の一部または全部を有してもよい。
【０２５５】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２５６】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０２５７】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０２５８】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されて
いてもよい。また、半導体技術の進歩により現在の集積回路に代替する集積回路化の技術が出現した場合、当該技術による集積回路を用いることも可能である。
【０２５９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２６０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２６１】
２  端末装置
３  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
４  送受信点
【図１】
2019062444.tif 000003
【図２】
2019062444.tif 000004
【図３】
2019062444.tif 000005
【図４】
2019062444.tif 000006
【図５】
2019062444.tif 000007
【図６】
2019062444.tif 000008
【図７】
2019062444.tif 000009
【図８】
2019062444.tif 000010
【図９】
2019062444.tif 000011
【図１０】
2019062444.tif 000012
【図１１】
2019062444.tif 000013
【図１２】
2019062444.tif 000014
【図１３】
2019062444.tif 000015
【図１４】
2019062444.tif 000016
【図１５】
2019062444.tif 000017